(57)【要約】  感覚効果のためのメタデータ提供方法及び装置、感覚効果のためのメタデータが記録されたコンピュータ読み取り可能な記録媒体、感覚効果再生方法及び装置に関する技術が開示される。このような技術によれば、コンテンツに対する感覚効果情報を含むＳＥＭ（Ｓｅｎｓｏｒｙ  Ｅｆｆｅｃｔ  Ｍｅｔａｄａｔａ）メタデータを生成するステップと、前記ＳＥＭメタデータを分析し、感覚再生装置に対する制御情報を生成する感覚再生装置エンジン部に前記ＳＥＭメタデータを伝送するステップとを含み、前記感覚効果情報は、前記コンテンツに対するカラー補正効果情報を含む感覚効果のためのメタデータ提供方法が開示される。
2012524452.tif 000002
【特許請求の範囲】
【請求項１】
コンテンツに対する感覚効果情報を含むＳＥＭ（Ｓｅｎｓｏｒｙ  Ｅｆｆｅｃｔ  Ｍｅｔａｄａｔａ）メタデータを生成するステップと、
前記ＳＥＭメタデータを分析し、感覚再生装置に対する制御情報を生成する感覚再生装置エンジン部に前記ＳＥＭメタデータを伝送するステップと、
を含み、
前記感覚効果情報は、前記コンテンツに対するカラー補正効果情報を含むことを特徴とする感覚効果のためのメタデータ提供方法。
【請求項２】
前記カラー補正効果情報は、
カラー補正範囲に対する視空間位置記述子（Ｓｐａｔｉｏ  Ｔｅｍｐｏｒａｌ  Ｌｏｃａｔｏｒ）及び視空間マスク記述子（Ｓｐａｔｉｏ  Ｔｅｍｐｏｒａｌ  Ｍａｓｋ）のうち、少なくとも１つを備えることを特徴とする請求項１に記載の感覚効果のためのメタデータ提供方法。
【請求項３】
前記感覚効果情報は、
前記カラー補正に参照されるカラー補正パラメータ情報をさらに含むことを特徴とする請求項１に記載の感覚効果のためのメタデータ提供方法。
【請求項４】
前記カラー補正パラメータは、
前記コンテンツの原本画像に対する原本画像ディスプレイ装置の特性を表すトーン再生カーブ（Ｔｏｎｅ  Ｒｅｐｒｏｄｕｃｔｉｏｎ  Ｃｕｒｖｅｓ）情報と、
前記原本画像のカラー空間から標準カラー空間への変換のための変換情報と、
前記原本画像の生成空間で使用された照明の色温度（Ｃｏｌｏｒ  Ｔｅｍｐｅｒａｔｕｒｅ）情報と、
前記原本画像ディスプレイ装置に対する色域（Ｉｎｐｕｔ  Ｄｅｖｉｃｅ  ＣｏｌｏｒＧａｍｕｔ）情報と、
前記コンテンツを再生する消費者の再生装置に対する照度（Ｉｌｌｕｍｉｎａｎｃｅ  Ｏｆ  Ｓｕｒｒｏｕｎｄ）情報とのうち、少なくとも１つを含むことを特徴とする請求項３に記載の感覚効果のためのメタデータ提供方法。
【請求項５】
前記トーン再生カーブ情報は、
前記原本画像ディスプレイ装置のＲＧＢチャネルに対する出力ＤＡＣ（Ｄｉｇｉｔａｌｔｏ  Ａｎａｌｏｇ  Ｃｏｎｖｅｒｓｉｏｎ）値と、
前記出力ＤＡＣ値による前記ＲＧＢチャネルのＲＧＢ値とを含むことを特徴とする請求項４に記載の感覚効果のためのメタデータ提供方法。
【請求項６】
前記変換情報は、
ＲＧＢ色空間をＸＹＺ色空間に変換するためのルックアップテーブルＲＧＢ＿ＸＹＺ＿ＬＵＴ情報と、
ＧＯＧ（Ｇａｉｎ  Ｏｆｆｓｅｔ  Ｇａｍｍａ）変換のための前記原本画像ディスプレイ装置のゲイン、オフセット、ガンマ値、及びＲＧＢチャネルに対するＲＧＢスカラー最大値を記述するパラメータ情報と、
前記ＸＹＺ色空間を前記ＲＧＢ色空間に逆変換するための逆変換ルックアップテーブル（Ｉｎｖｅｒｓｅ  ＬＵＴ）情報と、
を含むことを特徴とする請求項４に記載の感覚効果のためのメタデータ提供方法。
【請求項７】
前記色温度情報は、
前記照明のタイプ情報、前記照明のタイプによる白色基準点色度（ｗｈｉｔｅ  ｐｏｉｎｔ  ｃｈｒｏｍａｔｉｃｉｔｙ）値、及び前記照明の明暗度値を含むか、または前記照明の相関色温度（Ｃｏｒｒｅｌａｔｅｄ  Ｃｏｌｏｒ  Ｔｅｍｐｅｒａｔｕｒｅ）情報を含むことを特徴とする請求項４に記載の感覚効果のためのメタデータ提供方法。
【請求項８】
前記色域情報は、
前記原本画像ディスプレイ装置の種類情報と、
前記原本画像ディスプレイ装置の出力ＤＡＣ値による色域値と、
を含むことを特徴とする請求項４に記載の感覚効果のためのメタデータ提供方法。
【請求項９】
感覚効果に対する消費者の選好情報を含むＵＳＰ（Ｕｓｅｒ  Ｓｅｎｓｏｒｙ  Ｐｒｅｆｅｒｅｎｃｅｓ）メタデータを生成するステップと、
前記ＵＳＰメタデータを分析し、感覚再生装置に対する制御情報を生成する感覚再生装置エンジン部に前記ＵＳＰメタデータを伝送するステップと、
を含み、
前記選好情報は、前記感覚効果のうち、コンテンツのカラー補正効果に対する選好情報を含むことを特徴とする感覚効果のためのメタデータ提供方法。
【請求項１０】
前記カラー補正効果は、
カラー補正範囲に対する視空間位置記述子（Ｓｐａｔｉｏ  Ｔｅｍｐｏｒａｌ  Ｌｏｃａｔｏｒ）及び視空間マスク記述子（Ｓｐａｔｉｏ  Ｔｅｍｐｏｒａｌ  Ｍａｓｋ）のうち、少なくとも１つを含むカラー補正効果情報に応じて前記感覚効果再生装置で適用されることを特徴とする請求項９に記載の感覚効果のためのメタデータ提供方法。
【請求項１１】
感覚効果に対する感覚再生装置の再生能力情報を含むＳＤＣａｐ（Ｓｅｎｓｏｒｙ  Ｄｅｖｉｃｅ  Ｃａｐａｂｉｌｉｔｉｅｓ）メタデータを生成するステップと、
前記ＳＤＣａｐメタデータを分析し、前記感覚再生装置に対する制御情報を生成する感覚再生装置エンジン部に前記ＳＤＣａｐメタデータを伝送するステップと、
を含み、
前記再生能力情報は、前記感覚効果のうち、コンテンツカラー補正効果に対する再生能力情報を含むことを特徴とする感覚効果のためのメタデータ提供方法。
【請求項１２】
感覚効果情報を含むＳＥＭメタデータを受信するステップと、
前記ＳＥＭメタデータを解析し、感覚再生装置に対する感覚効果制御情報を含むＳＤＣｍｄ（Ｓｅｎｓｏｒｙ  Ｄｅｖｉｃｅ  Ｃｏｍｍａｎｄｓ）メタデータを生成するステップと、
前記感覚再生装置を制御する制御装置に前記ＳＤＣｍｄメタデータを伝送するステップと、
を含み、
前記感覚効果情報は、コンテンツに対するカラー補正効果情報を含むことを特徴とする感覚効果のためのメタデータ提供方法。
【請求項１３】
前記カラー補正効果情報は、
部分的なカラー補正適用のために、カラー補正範囲及び位置変化によってカラー補正がなされる範囲（または事物）を追跡及び補間するために、視空間位置記述子（Ｓｐａｔｉｏ  Ｔｅｍｐｏｒａｌ  Ｌｏｃａｔｏｒ）及び視空間マスク記述子（Ｓｐａｔｉｏ  Ｔｅｍｐｏｒａｌ  Ｍａｓｋ）のうち、少なくとも１つを含むことを特徴とする請求項１２に記載の感覚効果のためのメタデータ提供方法。
【請求項１４】
前記カラー補正効果に対する消費者の選好情報を含むＵＳＰメタデータを受信するステップをさらに含み、
前記ＳＤＣｍｄメタデータを生成するステップは、
前記ＵＳＰメタデータをさらに解析し、前記ＳＤＣｍｄメタデータを生成することを特徴とする請求項１２に記載の感覚効果のためのメタデータ提供方法。
【請求項１５】
前記カラー補正効果に対する前記感覚再生装置の再生能力情報を含むＳＤＣａｐメタデータを受信するステップをさらに含み、
前記ＳＤＣｍｄメタデータを生成するステップは、
前記ＳＤＣａｐメタデータをさらに解析し、前記ＳＤＣｍｄメタデータを生成することを特徴とする請求項１２に記載の感覚効果のためのメタデータ提供方法。
【請求項１６】
感覚効果を表現する感覚再生装置の感覚効果表現方法であって、
前記感覚再生装置に対する感覚効果制御情報を受信するステップと、
前記感覚効果制御情報に応じて感覚効果を表現するステップと、
を含み、
前記感覚効果制御情報は、前記感覚効果のうち、コンテンツカラー補正効果に対する制御情報を含むことを特徴とする感覚効果表現方法。
【請求項１７】
前記カラー補正効果は
カラー補正範囲に対する視空間位置記述子（Ｓｐａｔｉｏ  Ｔｅｍｐｏｒａｌ  Ｌｏｃａｔｏｒ）及び視空間マスク記述子（Ｓｐａｔｉｏ  Ｔｅｍｐｏｒａｌ  Ｍａｓｋ）のうち、少なくとも１つを含むカラー補正効果情報に応じて、前記感覚効果再生装置で適用されることを特徴とする請求項１６に記載の感覚効果表現方法。
【請求項１８】
メタデータが記録されたコンピュータ読み取り可能な記録媒体であって、
前記メタデータは、コンテンツに対する感覚効果情報を含むＳＥＭメタデータを含み、
前記感覚効果情報は、前記コンテンツに対するカラー補正効果情報を含むことを特徴とするメタデータが記録されたコンピュータ読み取り可能な記録媒体。
【請求項１９】
メタデータが記録されたコンピュータ読み取り可能な記録媒体であって、
前記メタデータは、感覚効果に対する消費者の選好情報を含むＵＳＰメタデータを含み、
前記選好情報は、前記感覚効果のうち、コンテンツカラー補正効果に対する選好情報を含むことを特徴とするメタデータが記録されたコンピュータ読み取り可能な記録媒体。
【請求項２０】
メタデータが記録されたコンピュータ読み取り可能な記録媒体であって、
前記メタデータは、感覚効果に対する感覚再生装置の再生能力情報を含むＳＤＣａｐメタデータを含み、
前記再生能力情報は、前記感覚効果のうち、コンテンツカラー補正効果に対する再生能力情報を含むことを特徴とするメタデータが記録されたコンピュータ読み取り可能な記録媒体。
【請求項２１】
メタデータが記録されたコンピュータ読み取り可能な記録媒体であって、
前記メタデータは、感覚再生装置に対する感覚効果制御情報を含むＳＤＣｍｄメタデータを含み、
前記感覚効果制御情報は、感覚効果のうち、コンテンツカラー補正効果に対する制御情報を含むことを特徴とするメタデータが記録されたコンピュータ読み取り可能な記録媒体。
【発明の詳細な説明】
【技術分野】
【０００１】
本発明は、感覚効果のためのメタデータ提供方法及び装置、感覚効果のためのメタデータが記録されたコンピュータ読み取り可能な記録媒体、感覚再生方法及び装置に関する。
【０００２】
本発明は、文化体育観光部の情報通信標準開発支援事業の一環として行った研究から導き出されたものである。［課題管理番号：２００９−Ｐ１−２９−０７Ｊ５２、課題名：デジタル画像レンダリング及び製作工程標準開発］
【背景技術】
【０００３】
一般に、コンテンツは、コンテンツを再生できるコンピュータ装置または光ディスクプレーヤによってユーザに提供され得る。コンテンツがＣＤ、ＤＶＤ、ブルーレイのような光ディスクに記録されている場合、コンピュータ装置または光ディスクプレーヤによって動画コンテンツが再生され、再生されるコンテンツは、コンピュータ装置または光ディスクプレーヤに連結されたモニターまたはテレビを介して表示され得る。
【０００４】
オーディオ（音声、音響を含む）またはビデオ（静止画、動画を含む）コンテンツのようなメディア技術と関連して、ＭＰＥＧ（ｍｏｖｉｎｇ  ｐｉｃｔｕｒｅ  ｅｘｐｅｒｔｓ  ｇｒｏｕｐ）は、ＭＰＥＧ−１からＭＰＥＧ−２、ＭＰＥＧ−４、ＭＰＥＧ−７、そしてＭＰＥＧ−２１まで進行されつつ、メディア概念の発展とマルチメディア処理技術の発展とを見せている。ＭＰＥＧ−１では、オーディオとビデオを格納するためのフォーマットを定義しており、ＭＰＥＧ−２では、メディア伝送に焦点を合わせており、ＭＰＥＧ−４は、オブジェクト基盤メディア構造を定義しており、ＭＰＥＧ−７は、メディアに関するメタデータを扱っており、ＭＰＥＧ−２１は、メディアの流通フレームワーク技術を扱っている。
【０００５】
近年、このようなコンテンツ再生技術を一層発展させるために、動画再生中により実感のある画像をユーザに提供できるように、感覚効果（Ｓｅｎｓｏｒｙ  Ｅｆｆｅｃｔ）に関する研究が進まれている。すなわち、コンテンツの内容によって、霧、風、温度、匂い、明かり、稲妻、椅子の動きなどの感覚効果を提供するために、感覚効果を制御する周辺感覚再生装置及び周辺感覚再生装置を制御する信号処理システムに関する多くの研究が進まれている。
【発明の概要】
【発明が解決しようとする課題】
【０００６】
本発明は、コンテンツ再生（消費）による感覚効果を提供するために、感覚効果のためのメタデータ提供方法及び装置、感覚効果のためのメタデータが記録されたコンピュータ読み取り可能な記録媒体、感覚効果再生方法及び装置を提供することにその目的がある。
【０００７】
特に、本発明は、コンテンツに対するカラー補正効果を提供するために、感覚効果のためのメタデータ提供方法及び装置、感覚効果のためのメタデータが記録されたコンピュータ読み取り可能な記録媒体、感覚効果再生方法及び装置を提供することにその目的がある。
【０００８】
本発明の他の目的及び長所は、下記の説明によって理解され得るし、本発明の実施形態によって一層明らかに理解され得るであろう。また、本発明の目的及び長所は、特許請求の範囲に表した手段及びその組み合わせによって実現され得ることが容易に分かるであろう。
【課題を解決するための手段】
【０００９】
上記の目的を達成するための本発明は、コンテンツに対する感覚効果情報を含むＳＥＭ（Ｓｅｎｓｏｒｙ  Ｅｆｆｅｃｔ  Ｍｅｔａｄａｔａ）メタデータを生成するステップと、前記ＳＥＭメタデータを分析し、感覚再生装置に対する制御情報を生成する感覚再生装置エンジン部に前記ＳＥＭメタデータを伝送するステップとを含み、前記感覚効果情報は、前記コンテンツに対するカラー補正効果情報を含む感覚効果のためのメタデータ提供方法を提供する。
【００１０】
また、上記の目的を達成するための本発明は、感覚効果に対する消費者の選好情報を含むＵＳＰ（Ｕｓｅｒ  Ｓｅｎｓｏｒｙ  Ｐｒｅｆｅｒｅｎｃｅｓ）メタデータを生成するステップと、前記ＵＳＰメタデータを分析し、感覚再生装置に対する制御情報を生成する感覚再生装置エンジン部に前記ＵＳＰメタデータを伝送するステップとを含み、前記選好情報は、前記感覚効果のうち、コンテンツのカラー補正効果に対する選好情報を含む感覚効果のためのメタデータ提供方法を提供する。
【００１１】
また、上記の目的を達成するための本発明は、感覚効果に対する感覚再生装置の再生能力情報を含むＳＤＣａｐ（Ｓｅｎｓｏｒｙ  Ｄｅｖｉｃｅ  Ｃａｐａｂｉｌｉｔｉｅｓ）メタデータを生成するステップと、前記ＳＤＣａｐメタデータを分析し、前記感覚再生装置に対する制御情報を生成する感覚再生装置エンジン部に前記ＳＤＣａｐメタデータを伝送するステップとを含み、前記再生能力情報は、前記感覚効果のうち、コンテンツカラー補正効果に対する再生能力情報を含む感覚効果のためのメタデータ提供方法を提供する。
【００１２】
また、上記の目的を達成するための本発明は、感覚効果情報を含むＳＥＭメタデータを受信するステップと、前記ＳＥＭメタデータを解析し、感覚再生装置に対する感覚効果制御情報を含むＳＤＣｍｄ（Ｓｅｎｓｏｒｙ  Ｄｅｖｉｃｅ  Ｃｏｍｍａｎｄｓ）メタデータを生成するステップと、前記感覚再生装置を制御する制御装置に前記ＳＤＣｍｄメタデータを伝送するステップとを含み、前記感覚効果情報は、コンテンツに対するカラー補正効果情報を含む感覚効果のためのメタデータ提供方法を提供する。
【００１３】
また、上記の目的を達成するための本発明は、感覚効果を表現する感覚再生装置の感覚効果表現方法であって、前記感覚再生装置に対する感覚効果制御情報を受信するステップと、前記感覚効果制御情報に応じて感覚効果を表現するステップとを含み、前記感覚効果制御情報は、前記感覚効果のうち、コンテンツカラー補正効果に対する制御情報を含む感覚効果表現方法を提供する。
【００１４】
また、上記の目的を達成するための本発明は、メタデータが記録されたコンピュータ読み取り可能な記録媒体であって、前記メタデータは、コンテンツに対する感覚効果情報を含むＳＥＭメタデータを含み、前記感覚効果情報は、前記コンテンツに対するカラー補正効果情報を含むメタデータが記録されたコンピュータ読み取り可能な記録媒体を提供する。
【００１５】
また、上記の目的を達成するための本発明は、メタデータが記録されたコンピュータ読み取り可能な記録媒体であって、前記メタデータは、感覚効果に対する消費者の選好情報を含むＵＳＰメタデータを含み、前記選好情報は、前記感覚効果のうち、コンテンツカラー補正効果に対する選好情報を含むメタデータが記録されたコンピュータ読み取り可能な記録媒体を提供する。
【００１６】
また、上記の目的を達成するための本発明は、メタデータが記録されたコンピュータ読み取り可能な記録媒体であって、前記メタデータは、感覚効果に対する感覚再生装置の再生能力情報を含むＳＤＣａｐメタデータを含み、前記再生能力情報は、前記感覚効果のうち、コンテンツカラー補正効果に対する再生能力情報を含むメタデータが記録されたコンピュータ読み取り可能な記録媒体を提供する。
【００１７】
また、上記の目的を達成するための本発明は、メタデータが記録されたコンピュータ読み取り可能な記録媒体であって、前記メタデータは、感覚再生装置に対する感覚効果制御情報を含むＳＤＣｍｄメタデータを含み、前記感覚効果制御情報は、感覚効果のうち、コンテンツカラー補正効果に対する制御情報を含むメタデータが記録されたコンピュータ読み取り可能な記録媒体を提供する。
【発明の効果】
【００１８】
本発明によれば、コンテンツ再生（消費）において、感覚効果を共に提供することができるという効果がある。
【００１９】
特に、本発明によれば、コンテンツに対するカラー補正効果を提供することができ、コンテンツ製作者の意図によるカラー再現をコンテンツ消費者に提供することができる。したがって、コンテンツ製作者の意図による画像またはコンテンツの原本画像と同じ画像が感覚再生装置で再生され得る。
【図面の簡単な説明】
【００２０】
【図１】本発明の一実施形態に係るマルチメディアシステムを説明するための図である。
【図２】本発明の一実施形態に係るＳＥＭメタデータ生成部１０１を説明するための図である。
【図３】本発明の一実施形態に係るＳＥＭメタデータ２００の要素を説明するための図である。
【図４】本発明の一実施形態に係るＳＥＭメタデータのスキーマ形態を示した図である。
【図５】本発明の一実施形態に係るＳＥＭメタデータのスキーマのデータタイプ（ｄａｔａ  ｔｙｐｅ）を説明するための図である。
【図６】本発明の一実施形態に係るＳＥＭ  Ｂａｓｅ  Ｔｙｐｅメタデータ５００のスキーマ形態を示した図である。
【図７】本発明の一実施形態に係るＤｅｓｃｒｉｐｔｉｏｎメタデータ３０４の要素を説明するための図である。
【図８】本発明の一実施形態に係るＤｅｓｃｒｉｐｔｉｏｎメタデータ３０４のスキーマ形態を示した図である。
【図９】本発明の一実施形態に係るＥｆｆｅｃｔメタデータ３１０の要素を説明するための図である。
【図１０】本発明の一実施形態に係るＥｆｆｅｃｔ  Ｂａｓｅ  Ｔｙｐｅメタデータ９００のスキーマ形態を示した図である。
【図１１】本発明の一実施形態に係るＳＥＭ  Ｂａｓｅ  Ａｔｔｒｉｂｕｔｅｓメタデータ９０２の要素を説明するための図である。
【図１２】本発明の一実施形態に係るＧｒｏｕｐ  Ｏｆ  Ｅｆｆｅｃｔｓメタデータ３０８の要素を説明するための図である。
【図１３】本発明の一実施形態に係るＧｒｏｕｐ  Ｏｆ  Ｅｆｆｅｃｔｓメタデータ３０８のスキーマ形態を示した図である。
【図１４】本発明の一実施形態に係るＲｅｆｅｒｅｎｃｅ  Ｅｆｆｅｃｔメタデータ３１２の要素を説明するための図である。
【図１５】本発明の一実施形態に係るＲｅｆｅｒｅｎｃｅ  Ｅｆｆｅｃｔメタデータ３１２のスキーマ形態を示した図である。
【図１６】本発明の一実施形態に係るＤｅｃｌａｒａｔｉｏｎｓメタデータ３０６の要素を説明するための図である。
【図１７】本発明の一実施形態に係るＤｅｃｌａｒａｔｉｏｎｓメタデータ３０６のスキーマ形態を示した図である。
【図１８】本発明の一実施形態に係るＰａｔａｍｅｔｅｒメタデータ１６０２の要素を説明するための図である。
【図１９】本発明の一実施形態に係るＰａｔａｍｅｔｅｒメタデータ１６０２のスキーマ形態を示した図である。
【図２０】本発明の一実施形態に係るカラー補正パラメータ（Ｃｏｌｏｒ  Ｃｏｒｒｅｃｔｉｏｎ  Ｐａｒａｍｅｔｅｒ  Ｔｙｐｅ）メタデータ２０００の要素を説明するための図である。
【図２１】本発明の一実施形態に係るカラー補正パラメータメタデータ２０００のスキーマ形態を示した図である。
【図２２】本発明の一実施形態に係るトーン再生カーブ（Ｔｏｎｅ  Ｒｅｐｒｏｄｕｃｔｉｏｎ  Ｃｕｒｖｅｓ）メタデータ２００２の要素を説明するための図である。
【図２３】本発明の一実施形態に係るＴｏｎｅ  Ｒｅｐｒｏｄｕｃｔｉｏｎ  Ｃｕｒｖｅｓ  Ｔｙｐｅメタデータ２２００のスキーマ形態を説明するための図である。
【図２４】本発明の一実施形態に係る画像変換ルックアップテーブル及びパラメータ（Ｃｏｎｖｅｒｓｉｏｎ  ＬＵＴ）メタデータ２００４の要素を説明するための図である。
【図２５】本発明の一実施形態に係るＣｏｎｖｅｒｓｉｏｎ  ＬＵＴ  Ｔｙｐｅメタデータ２４００のスキーマ形態を示した図である。
【図２６】本発明の一実施形態に係る照明光源の色温度（Ｃｏｌｏｒ  Ｔｅｍｐｅｒａｔｕｒｅ）メタデータ２００６の要素を説明するための図である。
【図２７】本発明の一実施形態に係るＩｌｌｕｍｉｎａｎｔ  Ｔｙｐｅメタデータ２６００のスキーマ形態を示した図である。
【図２８】本発明の一実施形態に係る入力装置色域（Ｉｎｐｕｔ  Ｄｅｖｉｃｅ  Ｃｏｌｏｒ  Ｇａｍｕｔ）メタデータ２００８の要素を説明するための図である。
【図２９】本発明の一実施形態に係るＩｎｐｕｔ  Ｄｅｖｉｃｅ  Ｃｏｌｏｒ  Ｇａｍｕｔ  Ｔｙｐｅメタデータ２８００のスキーマ形態を示した図である。
【図３０】本発明の一実施形態に係るカラー補正効果（Ｃｏｌｏｒ  Ｃｏｒｒｅｃｔｉｏｎ  Ｔｙｐｅ）メタデータ３０００の要素を説明するための図である。
【図３１】本発明の一実施形態に係るカラー補正効果メタデータ３０００のスキーマ形態を示した図である。
【図３２】本発明の一実施形態に係る風効果（Ｗｉｎｄ  Ｔｙｐｅ）メタデータ３２００の要素を説明するための図である。
【図３３】本発明の一実施形態に係る風効果メタデータ３２００のスキーマ形態を示した図である。
【図３４】本発明の一実施形態に係るＵＳＰメタデータ生成部１０３を説明するための図である。
【図３５】本発明の一実施形態に係るＵＳＰメタデータ３４００の要素を説明するための図である。
【図３６】本発明の一実施形態に係るＵＳＰメタデータ３４００のスキーマ形態を示した図である。
【図３７】本発明の一実施形態に係るＵＳＰメタデータのスキーマのデータタイプ（ｄａｔａ  ｔｙｐｅ）を説明するための図である。
【図３８】本発明の一実施形態に係るＵＳＰ  Ｂａｓｅ  Ｔｙｐｅメタデータ３７００のスキーマ形態を示した図である。
【図３９】本発明の一実施形態に係る感覚効果選好情報（Ｐｒｅｆｅｒｅｎｃｅ）メタデータ３５０４の要素を説明するための図である。
【図４０】本発明の一実施形態に係るＰｒｅｆｅｒｅｎｃｅ  Ｂａｓｅ  Ｔｙｐｅメタデータ３９００のスキーマ形態を示した図である。
【図４１】本発明の一実施形態に係るカラー補正効果選好情報メタデータ４１００の要素を説明するための図である。
【図４２】本発明の一実施形態に係るカラー補正効果に対する選好情報メタデータ４１００のスキーマ形態を示した図である。
【図４３】本発明の一実施形態に係るＳＤＣａｐメタデータ生成部１０７を説明するための図である。
【図４４】本発明の一実施形態に係るＳＤＣａｐメタデータ４３００の要素を説明するための図である。
【図４５】本発明の一実施形態に係るＳＤＣａｐメタデータ４３００のスキーマ形態を示した図である。
【図４６】本発明の一実施形態に係るＳＤＣａｐメタデータ４３００のスキーマのデータタイプ（ｄａｔａ  ｔｙｐｅ）を説明するための図である。
【図４７】本発明の一実施形態に係るＳＤＣａｐ  Ｂａｓｅ  Ｔｙｐｅメタデータ４６００のスキーマ形態を示した図である。
【図４８】本発明の一実施形態に係るＤｅｖｉｃｅ  Ｃａｐａｂｉｌｉｔｙメタデータ４４０２の要素を説明するための図である。
【図４９】本発明の一実施形態に係るＤｅｖｉｃｅ  Ｃａｐａｂｉｌｉｔｙ  Ｂａｓｅ  Ｔｙｐｅメタデータ４８００のスキーマ形態を示した図である。
【図５０】本発明の一実施形態に係るカラー補正効果に対する感覚再生装置の再生能力情報を表現するためのカラー補正装置能力情報メタデータ５０００の要素を説明するための図である。
【図５１】本発明の一実施形態に係るカラー補正装置能力情報メタデータ５０００のスキーマ形態を示した図である。
【図５２】本発明の一実施形態に係るＳＤＣｍｄメタデータ生成部１０９を説明するための図である。
【図５３】本発明の一実施形態に係るＳＤＣｍｄメタデータ５２００の要素を説明するための図である。
【図５４】本発明の一実施形態に係るＳＤＣｍｄメタデータ５２００のスキーマ形態を示した図である。
【図５５】本発明の一実施形態に係るＳＤＣｍｄメタデータ５２００のスキーマのデータタイプ（ｄａｔａ  ｔｙｐｅ）を説明するための図である。
【図５６】本発明の一実施形態に係るＳＤＣｍｄ  Ｂａｓｅ  Ｔｙｐｅメタデータ５５００のスキーマ形態を示した図である。
【図５７】本発明の一実施形態に係る感覚再生装置の再生命令情報に対するメタデータ（Ｄｅｖｉｃｅ  Ｃｏｍｍａｎｄ、５３０４）の要素を説明するための図である。
【図５８】本発明の一実施形態に係るＤｅｖｉｃｅ  Ｃｏｍｍａｎｄ  Ｂａｓｅ  Ｔｙｐｅメタデータ５７００のスキーマ形態を示した図である。
【図５９】本発明の一実施形態に係るＧｒｏｕｐ  Ｏｆ  Ｃｏｍｍａｎｄｓメタデータ５３０２の要素を説明するための図である。
【図６０】本発明の一実施形態に係るＧｒｏｕｐ  Ｏｆ  Ｃｏｍｍａｎｄｓ  Ｔｙｐｅメタデータ５９００のスキーマ形態を示した図である。
【図６１】本発明の一実施形態に係るカラー補正効果に対する制御情報を表現するためのカラー補正装置命令メタデータ６１００の要素を説明するための図である。
【図６２】本発明の一実施形態に係るカラー補正装置命令メタデータ６１００のスキーマ形態を示した図である。
【図６３】本発明の一実施形態に係る感覚効果のためのメタデータ提供方法を説明するための図である。
【図６４】本発明の他の実施形態に係る感覚効果のためのメタデータ提供方法を説明するための図である。
【図６５】本発明のさらに他の実施形態に係る感覚効果のためのメタデータ提供方法を説明するための図である。
【図６６】本発明のさらに他の実施形態に係る感覚効果のためのメタデータ提供方法を説明するための図である。
【図６７】本発明の一実施形態に係る感覚効果表現方法を説明するための図である。
【図６８】本発明の具体的な実施形態に係るマルチメディアシステムを説明するための図である。
【発明を実施するための形態】
【００２１】
一般に、コンテンツ消費者がコンテンツを消費するとき、消費されるコンテンツの内容によって当該感覚再生装置により感覚効果が再生され得る。このとき、消費されるコンテンツの各々と感覚再生装置の各々との連関関係及び互換可否が相違することもあるため、コンテンツに対する感覚効果を再生させるためには、コンテンツと互換される感覚再生装置が必要である。
【００２２】
一方、感覚効果は、コンテンツをコンテンツ消費者がより実感のあるように視聴できるようにするための道具として利用されているが、コンテンツ製作者の意図によるカラーを感覚再生装置で再現するための感覚効果は提供されていない。すなわち、コンテンツ製作環境と感覚再生装置の特性は相違するため、コンテンツの原本画像と同じ画像が感覚再生装置で再生され難いという問題がある。
【００２３】
本発明によれば、コンテンツに対するカラー補正効果情報を感覚再生装置に提供することにより、コンテンツ製作者の意図によるカラーが感覚再生装置で再生され得る。すなわち、本発明は、例えば、コンテンツの原本画像に対するカラー情報及びカラー補正のターゲットに対する情報を感覚再生装置に提供することにより、コンテンツ製作者の意図による画像またはコンテンツの原本画像と同じ画像が感覚再生装置で再生され得るようにする。
【００２４】
以下、本発明の属する技術分野における通常の知識を有した者が本発明の技術的思想を容易に実施できるように詳細に説明するために、本発明の一番好ましい実施形態を添付図面を参照して説明する。上述した目的、特徴、及び長所は、添付された図面と関連した次の詳細な説明によってさらに明らかになるはずであり、本発明を説明するにあたって、本発明と関連した公知技術に対する具体的な説明が本発明の要旨を不要に濁すことができると判断される場合に、その詳細な説明を省略する。
【００２５】
図１は、本発明の一実施形態に係るマルチメディアシステムを説明するための図である。
【００２６】
図１に示すように、本発明に係るマルチメディアシステムは、ＳＥＭメタデータ生成部１０１、ＵＳＰメタデータ生成部１０３、ＳＤｃｍｄメタデータ生成部１０５、ＳＤｃａｐメタデータ生成部１０７、感覚再生装置エンジン部１０９、感覚再生装置制御部１１１、及び感覚再生装置１１３を備える。感覚再生装置１１３は、ディスプレイ装置１１５、照明装置１１７、ＬＥＤ装置１１９、温度調節装置１２１、及びその他、再生装置１２３を備えることができる。
【００２７】
まず、それぞれのメタデータについて説明すれば、次のとおりである。
【００２８】
感覚効果情報（Ｓｅｎｓｏｒｙ  Ｅｆｆｅｃｔ  Ｍｅｔａｄａｔａ、ＳＥＭ）メタデータコンテンツに対する感覚効果情報を含むメタデータである。ユーザ選好情報（Ｕｓｅｒ  Ｓｅｎｓｏｒｙ  Ｐｒｅｆｅｒｅｎｃｅｓ、ＵＳＰ）メタデータは、コンテンツに対する感覚効果のユーザ選好情報を含むメタデータである。感覚効果制御情報（Ｓｅｎｓｏｒｙ  Ｄｅｖｉｃｅ  Ｃｏｍｍａｎｄｓ、ＳＤｃｍｄ）メタデータは、感覚効果を表現する感覚再生装置を制御するための情報を含むメタデータである。再生能力情報（Ｓｅｎｓｏｒｙ  Ｄｅｖｉｃｅ  Ｃａｐａｂｉｌｉｔｉｅｓ、ＳＤｃａｐ）メタデータは、感覚再生装置の感覚効果再生能力情報を含むメタデータである。
【００２９】
ＳＥＭメタデータ生成部１０１は、コンテンツに対する感覚効果情報を含むＳＥＭメタデータを生成する。コンテンツに対する感覚効果情報は、コンテンツ製作者から提供され得る。ここで、感覚効果情報は、コンテンツに対する風効果情報、振動情報、温度情報、メイン照明情報、周辺照明情報、及びコンテンツに対するカラー補正効果情報でありうる。
【００３０】
ＵＳＰメタデータ生成部１０３は、感覚効果に対する消費者の選好情報を含むＵＳＰメタデータを生成する。消費者の選好情報は、コンテンツを消費する消費者から提供され得る。例えば、消費者の選好情報は、消費者が感覚効果のうち、風効果は選好し、振動効果は選好しないという情報を含むことができる。
【００３１】
ＳＤｃｍｄメタデータ生成部１０５は、感覚再生装置１１３の感覚効果表現を制御するための制御情報を含むＳＤｃｍｄメタデータを生成する。すなわち、感覚再生装置１１３は、ＳＤｃｍｄメタデータによって感覚効果を表現することができる。
【００３２】
ＳＤｃａｐメタデータ生成部１０７は、感覚再生装置１１３の感覚効果再生に対する能力情報を含むＳＤｃａｐメタデータを生成する。例えば、感覚効果再生能力情報は、感覚再生装置１１３のうち、温度調節装置１２１の温度調節能力情報を含むことができる。
【００３３】
感覚再生装置エンジン部１０９は、ＳＥＭメタデータを受信してＳＥＭメタデータを解析する。また、感覚再生装置エンジン部１０９は、ＵＳＰメタデータ及びＳＤｃａｐメタデータのうち、１つ以上をさらに受信して解析することができる。すなわち、感覚再生装置エンジン部１０９は、ＳＥＭメタデータ、ＵＳＰメタデータ、及びＳＤｃａｐメタデータを解析し、解析結果をＳＤｃｍｄメタデータ生成部１０５に提供することにより、ＳＤｃｍｄメタデータ生成部１０５はＳＤｃｍｄメタデータを生成することができる。
【００３４】
一方、ＳＤｃｍｄメタデータ生成部１０５は、感覚再生装置エンジン部１０９に含まれることができ、感覚再生装置エンジン部１０９がＳＤｃｍｄメタデータを生成することもできる。すなわち、感覚再生装置エンジン部１０９は、感覚効果情報、ユーザ選好情報、及び再生能力情報を利用してＳＤｃｍｄメタデータを生成することができる。
【００３５】
感覚再生装置制御部１１１は、ＳＤｃｍｄメタデータを受信してＳＤｃｍｄメタデータを解析する。そして、感覚再生装置制御部１１１は、感覚再生装置１１３に対する制御情報を利用して感覚再生装置１１３を制御することができる。感覚再生装置制御部１１１は、ＳＤｃａｐメタデータ生成部１０７を含むことができ、感覚再生装置制御部１１１に接続された感覚再生装置１１３のＳＤｃａｐメタデータを生成することができる。
【００３６】
感覚再生装置１１３は、感覚再生装置制御部１１１の制御によって感覚効果を再生または表現する。感覚再生装置１１３は、例えば、コンテンツに対する風効果、振動効果、温度効果、メイン照明効果、周辺照明効果、及びコンテンツに対するカラー補正効果を表現することができる。すなわち、照明装置１１７及びＬＥＤ装置１１９がメイン照明効果、周辺照明効果を表現することができ、温度調節装置１２１が温度効果を表現することができる。ディスプレイ装置１１５は、コンテンツの再生とともに、カラー補正効果を表現することができる。その他、再生装置１２３は、風効果、振動効果を表現することができる。
【００３７】
特に、本発明に係る感覚再生装置１１３は、前述したように、コンテンツに対するカラー補正効果を表現することができる。カラー補正効果は、例えば、コンテンツ製作者の意図によるカラー効果であって、感覚再生装置１１３は、コンテンツ製作者が望むカラー効果をコンテンツに表現して再生したり、コンテンツの原本カラー画像を最大限反映してコンテンツを再生することができる。
【００３８】
そして、本発明に係るマルチメディアシステムは、カラー補正効果を実現するために、カラー補正効果に対するＳＥＭメタデータ、ＵＳＰメタデータ、ＳＤｃａｐメタデータ、及びＳＤｃｍｄメタデータを生成し、これを利用してコンテンツを再生する。
【００３９】
一方、本発明に係る感覚再生装置１１３は、感覚再生装置エンジン部１０９から直接ＳＤｃｍｄメタデータを受信して感覚効果を表現したり、またはＳＤｃａｐメタデータ生成部１０７を含み、ＳＤｃａｐメタデータを感覚再生装置エンジン部１０９に伝送することができる。
【００４０】
本発明に係るマルチメディアシステムにおいてメタデータの各々は、通信チャネル（図示せず）を介して送受信され得る。このような通信チャネルは、光ケーブルまたはラン（ＵＴＰ）ケーブルのような有線網として特定通信規約によってデータを送受信することができる。または、通信チャネルは、ＣＤＭＡ、ＷＣＤＭＡ、ＦＤＭＡのような移動通信、ブルートゥース、ワイブロ（ＷＩＢＲＯ）、無線ランなどのような無線通信方式を使用する通信チャネルでありうる。
【００４１】
また、本発明に係るメタデータを標準化された型式及び構造によって記述する方法は、ＭＰＥＧ−７記述構造標準（ＭＤＳ、Ｍｕｌｔｉｍｅｄｉａ  Ｄｅｓｃｒｉｐｔｉｏｎ  Ｓｃｈｅｍｅ）、ＭＰＥＧ−２１のデジタルアイテム適応（ＤＩＡ、Ｄｉｇｉｔａｌ  Ｉｔｅｍ  Ａｄａｐｔａｔｉｏｎ）記述構造標準にしたがうことができる。
【００４２】
図２は、本発明の一実施形態に係るＳＥＭメタデータ生成部１０１を説明するための図である。
【００４３】
図２に示すように、本発明に係るＳＥＭメタデータ生成部１０１は、メタデータ生成部２０１及び伝送部２０３を備える。
【００４４】
メタデータ生成部２０１は、感覚効果情報を含むＳＥＭメタデータ２００を生成する。そして、伝送部２０３は、メタデータを分析し、感覚効果を再生する感覚再生装置１１３に対する制御情報を生成する感覚再生装置エンジン部１０９にＳＥＭメタデータ２００を伝送する。
【００４５】
ここで、感覚効果情報は、カラー補正効果情報、風効果情報、振動情報、温度情報、メイン照明情報、及び周辺照明情報のうち、１つ以上を含むことができる。
【００４６】
図３は、本発明の一実施形態に係るＳＥＭメタデータ２００の要素を説明するための図である。
【００４７】
図３に示すように、本発明に係るＳＥＭメタデータ２００は、自動抽出属性情報を記述するメタデータ（ａｕｔｏＥｘｔｒａｃｔｉｏｎ、３００）、拡張可能な属性情報を記述するメタデータ（＃＃ｏｔｈｅｒ、３０２）、ＳＥＭメタデータに対する一般的な情報を記述するメタデータ（Ｄｅｓｃｒｉｐｔｉｏｎ  Ｍｅｔａｄａｔａ、３０４）、予め宣言されるメタデータ（Ｇｒｏｕｐ  Ｏｆ  Ｅｆｆｅｃｔｓ、Ｅｆｆｅｃｔ、Ｐａｒａｍｅｔｅｒ）を記述するメタデータ（Ｄｅｃｌａｒａｔｉｏｎｓ、３０６）、２つ以上の感覚効果情報を記述するメタデータ（Ｇｒｏｕｐ  Ｏｆ  Ｅｆｆｅｃｔｓ、３０８）、１つの感覚効果情報を記述するメタデータ（Ｅｆｆｅｃｔ、３１０）、参照可能な感覚効果情報を記述するメタデータ（Ｒｅｆｅｒｅｎｃｅ  Ｅｆｆｅｃｔ、３１２）を備える。
【００４８】
具体的に、自動抽出属性情報には、ＳＥＭメタデータ２００とコンテンツとが共に含まれたメディアからＳＥＭメタデータ２００に記述された感覚効果が自動に抽出されるのか否かに対する情報が記述される。Ｄｅｓｃｒｉｐｔｉｏｎメタデータ３０４には、ＳＥＭメタデータに対する一般的な説明情報などが注釈形態で記述され得る。Ｄｅｃｌａｒａｔｉｏｎｓメタデータ３０６は、ＳＥＭメタデータ２００に含まれる感覚効果情報を予め宣言し、予め宣言された感覚効果情報（Ｇｒｏｕｐ  Ｏｆ  Ｅｆｆｅｃｔｓ、Ｅｆｆｅｃｔ）と感覚効果再生時に参照するためのパラメータ情報（ｐａｒａｍｅｔｅｒ）とを必要に応じて参照するためのメタデータである。Ｒｅｆｅｒｅｎｃｅ  Ｅｆｆｅｃｔメタデータ３１２は、予め宣言された感覚効果再生時に参照可能な感覚効果情報に対するメタデータである。
【００４９】
ここで、ＳＥＭメタデータ２００には、Ｄｅｃｌａｒａｔｉｏｎｓメタデータ３０６、Ｇｒｏｕｐ  Ｏｆ  Ｅｆｆｅｃｔｓメタデータ３０８、Ｅｆｆｅｃｔメタデータ３１０、Ｒｅｆｅｒｅｎｃｅ  Ｅｆｆｅｃｔメタデータ３１２のうち、１つが選択的に繰り返し記述され得る。
【００５０】
図４は、本発明の一実施形態に係るＳＥＭメタデータのスキーマ形態を示した図であって、図３において説明されたＳＥＭメタデータ及びＳＥＭメタデータの要素をスキーマ形態で示している。
【００５１】
［表１］は、ＳＥＭメタデータ２００の記述構造を拡張性生成言語（ＸＭＬ、ｅＸｔｅｎｓｉｂｌｅ  Ｍａｒｋｕｐ  Ｌａｎｇｕａｇｅ）スキーマ（Ｓｃｈｅｍａ）形態で表したものである。
【表１】
2012524452.tif 000003
2012524452.tif 000004
【００５２】
図５は、本発明の一実施形態に係るＳＥＭメタデータのスキーマのデータタイプ（ｄａｔａ  ｔｙｐｅ）を説明するための図である。
【００５３】
図５に示すように、本発明に係るＳＥＭメタデータのスキーマのデータタイプは、最上位基本タイプに提供されるＳＥＭ  Ｂａｓｅ  Ｔｙｐｅ５００である。ＳＥＭ  Ｂａｓｅ  Ｔｙｐｅメタデータ５００は、識別可能な属性情報を含む識別子情報メタデータ（ｉｄ、５０２）を備える。すなわち、ＳＥＭメタデータに含まれる情報は、識別子情報メタデータ（ｉｄ、５０２）によって識別され得る。
【００５４】
ＳＥＭ  Ｂａｓｅ  Ｔｙｐｅ５００は、ＳＥＭメタデータに含まれた複数のメタデータに対する基本タイプになり、ＳＥＭメタデータに含まれた複数のメタデータは、ＳＥＭ  Ｂａｓｅ  Ｔｙｐｅ５００から拡張されたデータタイプを使用することができる。このとき、ＳＥＭ  Ｂａｓｅ  Ｔｙｐｅ５００から拡張されたデータタイプは、ＳＥＭ  Ｂａｓｅ  Ｔｙｐｅ５００の属性や情報を全て含む。
【００５５】
図６は、本発明の一実施形態に係るＳＥＭ  Ｂａｓｅ  Ｔｙｐｅメタデータ５００のスキーマ形態を示した図であって、図５において説明されたＳＥＭ  Ｂａｓｅ  Ｔｙｐｅメタデータ及びＳＥＭ  Ｂａｓｅ  Ｔｙｐｅメタデータの要素をスキーマ形態で示している。
【００５６】
［表２］は、ＳＥＭ  Ｂａｓｅ  Ｔｙｐｅメタデータ５００の記述構造を拡張性生成言語ＸＭＬスキーマ形態で表したものである。
【表２】
2012524452.tif 000005
【００５７】
図７は、本発明の一実施形態に係るＤｅｓｃｒｉｐｔｉｏｎメタデータ３０４の要素を説明するための図である。
【００５８】
図７に示すように、Ｄｅｓｃｒｉｐｔｉｏｎメタデータ３０４は、例えば、ＭＰＥＧ−７  ＭＤＳのＤｅｓｃｒｉｐｔｉｏｎ  Ｍｅｔａｄａｔａ  Ｔｙｐｅから拡張されることができ、ＵＲＩ（Ｕｎｉｆｏｒｍ  Ｒｅｓｏｕｒｃｅ  Ｉｄｅｎｔｉｆｉｅｒ）によって参照される分類スキーマのためのａｌｉａｓ情報を記述するメタデータ（Ｃｌａｓｓｉｆｉｃａｔｉｏｎ  Ｓｃｈｅｍｅ  Ａｌｉａｓ、７００）を備える。
【００５９】
Ｃｌａｓｓｉｆｉｃａｔｉｏｎ  Ｓｃｈｅｍｅ  Ａｌｉａｓメタデータ７００は、例えば、ＳＥＭ  Ｂａｓｅ  Ｔｙｐｅ５００から拡張されることができ、分類スキーマが割り当てられる別称のための属性情報を記述するメタデータ（ａｌｉａｓ、７０２）及びＵＲＩを使用した別称される分類スキーマを参照するための属性情報を記述するメタデータ（ｈｒｅｆ、７０４）を含む。すなわち、Ｃｌａｓｓｉｆｉｃａｔｉｏｎ  Ｓｃｈｅｍｅ  Ａｌｉａｓメタデータ７００によって他の分類スキーマが参照され得る。
【００６０】
具体的に、ａｌｉａｓメタデータ７０２は、分類スキーマの名前に別途の名称を割り当てるためのメタデータである。そして、ＵＲＩは、ディスク内またはウェブ（ｗｅｂ）上での分類スキーマが定義されたファイルを参照するための経路情報を意味し、ｈｒｅｆメタデータ７０４の属性情報として定義されて使用される。
【００６１】
図８は、本発明の一実施形態に係るＤｅｓｃｒｉｐｔｉｏｎメタデータ３０４のスキーマ形態を示した図であって、図７において説明されたＤｅｓｃｒｉｐｔｉｏｎメタデータ及びＣｌａｓｓｉｆｉｃａｔｉｏｎ  Ｓｃｈｅｍｅ  Ａｌｉａｓメタデータ７００の要素をスキーマ形態で示している。
【００６２】
［表３］は、Ｄｅｓｃｒｉｐｔｉｏｎメタデータ３０４の記述構造を拡張性生成言語ＸＭＬスキーマ形態で表したものである。
【表３】
2012524452.tif 000006
【００６３】
図９は、本発明の一実施形態に係るＥｆｆｅｃｔメタデータ３１０の要素を説明するための図である。
【００６４】
図９に示すように、Ｅｆｆｅｃｔメタデータ３１０は、Ｅｆｆｅｃｔ  Ｂａｓｅ  Ｔｙｐｅメタデータ９００を利用し、Ｅｆｆｅｃｔ  Ｂａｓｅ  Ｔｙｐｅメタデータ９００は、ＳＥＭ  Ｂａｓｅ  Ｔｙｐｅ５００から拡張されることができる。
【００６５】
Ｅｆｆｅｃｔ  Ｂａｓｅ  Ｔｙｐｅメタデータ９００は、感覚効果記述に必要な属性を集めたグループ属性であるＳＥＭ  Ｂａｓｅ  Ａｔｔｒｉｂｕｔｅｓメタデータ９０２及び拡張可能な属性情報を記述するメタデータ（＃＃ｏｔｈｅｒ、９０４）を備える。
【００６６】
図１０は、本発明の一実施形態に係るＥｆｆｅｃｔ  Ｂａｓｅ  Ｔｙｐｅメタデータ９００のスキーマ形態を示した図であって、図９において説明されたＥｆｆｅｃｔ  Ｂａｓｅ  Ｔｙｐｅメタデータ及びＥｆｆｅｃｔ  Ｂａｓｅ  Ｔｙｐｅメタデータの要素をスキーマ形態で示したものである。
【００６７】
［表４］は、Ｅｆｆｅｃｔ  Ｂａｓｅ  Ｔｙｐｅメタデータ９００の記述構造を拡張性生成言語ＸＭＬスキーマ形態で表している。
【表４】
2012524452.tif 000007
【００６８】
図１１は、本発明の一実施形態に係るＳＥＭ  Ｂａｓｅ  Ａｔｔｒｉｂｕｔｅｓメタデータ９０２の要素を説明するための図である。
【００６９】
図１１に示すように、ＳＥＭ  Ｂａｓｅ  Ａｔｔｒｉｂｕｔｅｓメタデータ９０２は、感覚効果の活性化を表す属性情報を記述するメタデータ（ａｃｔｉｖａｔｅ、１１００）、感覚効果が一定に再生される持続時間を表す属性情報を記述するメタデータ（ｄｕｒａｔｉｏｎ、１１０２）、感覚効果が再生し始まるとき、徐々に変化を与える時間を表す属性情報を記述するメタデータ（ｆａｄｅ−ｉｎ、１１０４）、感覚効果の再生が終わるとき、徐々に変化を与える時間を表す属性情報を記述するメタデータ（ｆａｄｅ−ｏｕｔ、１１０６）、感覚効果の代替可能な効果のＵＲＩ属性情報を記述するメタデータ（ａｌｔ、１１０８）、感覚効果に対する再生優先順位属性情報を記述するメタデータ（ｐｒｉｏｒｉｔｙ、１１１０）、感覚効果の再生強度を表す属性情報を記述するメタデータ（ｉｎｔｅｎｓｉｔｙ、１１１２）、感覚効果が表現される位置に対する情報を表す属性情報を記述するメタデータ（ｐｏｓｉｔｉｏｎ、１１１４）、及び感覚効果の再生時、再生強度に対する適応関連属性情報を記述するメタデータ（ＳＥＭ  Ａｄａｐｔａｂｉｌｉｔｙ  Ａｔｔｒｉｂｕｔｅｓ、１１１６）を備える。
【００７０】
ＳＥＭＡｄａｐｔａｂｉｌｉｔｙＡｔｔｒｉｂｕｔｅｓメタデータ１１１６は、適応に関する選好属性情報を記述するメタデータ（ａｄａｐｔ  Ｔｙｐｅ、１１１８）と適応に対する範囲を表す属性情報を記述するメタデータ（ａｄａｐｔ  Ｒａｎｇｅ、１１２０）とを備える。
【００７１】
具体的に、ａｌｔメタデータ１１０８は、予め設定された感覚効果を他の感覚効果に代替する必要がある場合、代替できる感覚効果に対する位置情報を表す。ｐｏｓｉｔｉｏｎメタデータ１１１４は、感覚効果が表現される位置、例えば、風効果が左側で表れるようにする位置情報を表す。
【００７２】
ＳＥＭＡｄａｐｔａｂｉｌｉｔｙＡｔｔｒｉｂｕｔｅｓメタデータ１１１６は、感覚再生装置１１３の感覚効果再生時に、再生強度に対する適応程度を表す。例えば、予め設定された再生強度が１００％である場合、１００％の再生強度を厳格に適用して感覚効果を再生するのか、それとも、柔軟に適用して感覚効果を再生するのかに対する情報を表す。すなわち、ａｄａｐｔＴｙｐｅメタデータ１１１８で感覚効果を減少させることができるように適応関連属性情報が記述され、ａｄａｐｔＲａｎｇｅメタデータ１１１８で１０％に記述されたら、感覚再生装置１１３で９０％の風効果が表現され得る。
【００７３】
［表５］は、ＳＥＭ  Ｂａｓｅ  Ａｔｔｒｉｂｕｔｅｓメタデータ９０２の記述構造を拡張性生成言語ＸＭＬスキーマ形態で示したものである。
【表５】
2012524452.tif 000008
2012524452.tif 000009
【００７４】
図１２は、本発明の一実施形態に係るＧｒｏｕｐ  Ｏｆ  Ｅｆｆｅｃｔｓメタデータ３０８の要素を説明するための図である。
【００７５】
図１２に示すように、Ｇｒｏｕｐ  Ｏｆ  Ｅｆｆｅｃｔｓメタデータ３０８は、Ｇｒｏｕｐ  Ｏｆ  Ｅｆｆｅｃｔｓ  Ｔｙｐｅメタデータ１２００を利用し、Ｇｒｏｕｐ  Ｏｆ  Ｅｆｆｅｃｔｓ  Ｔｙｐｅメタデータ１２００は、ＳＥＭ  Ｂａｓｅ  Ｔｙｐｅ５００から拡張されることができる。
【００７６】
Ｇｒｏｕｐ  Ｏｆ  Ｅｆｆｅｃｔｓメタデータ３０８は、感覚効果記述に必要な属性を集めたグループ属性であるＳＥＭ  Ｂａｓｅ  Ａｔｔｒｉｂｕｔｅｓメタデータ９０２、拡張可能な属性情報を記述するメタデータ（＃＃ｏｔｈｅｒ、１２０２）、及び１つの感覚効果情報を記述するメタデータ（Ｅｆｆｅｃｔ、３１０）を備える。Ｇｒｏｕｐ  Ｏｆ  Ｅｆｆｅｃｔｓメタデータ３０８は、Ｅｆｆｅｃｔメタデータ３１０を２つ以上含むことができる。
【００７７】
図１３は、本発明の一実施形態に係るＧｒｏｕｐ  Ｏｆ  Ｅｆｆｅｃｔｓメタデータ３０８のスキーマ形態を示した図であって、図１２において説明されたＧｒｏｕｐ  Ｏｆ  Ｅｆｆｅｃｔｓ  Ｔｙｐｅメタデータ及びＧｒｏｕｐ  Ｏｆ  Ｅｆｆｅｃｔｓ  Ｔｙｐｅメタデータの要素をスキーマ形態で示している。
【００７８】
［表６］は、Ｇｒｏｕｐ  Ｏｆ  Ｅｆｆｅｃｔｓ  Ｔｙｐｅメタデータ１２００の記述構造をＸＭＬスキーマ形態で表したものである。
【表６】
2012524452.tif 000010
【００７９】
図１４は、本発明の一実施形態に係るＲｅｆｅｒｅｎｃｅ  Ｅｆｆｅｃｔメタデータ３１２の要素を説明するための図である。
【００８０】
図１４に示すように、Ｒｅｆｅｒｅｎｃｅ  Ｅｆｆｅｃｔメタデータ３１２は、Ｒｅｆｅｒｅｎｃｅ  Ｅｆｆｅｃｔ  Ｔｙｐｅメタデータ１４００を利用し、ＳＥＭ  Ｂａｓｅ  Ｔｙｐｅ５００から拡張されることができる。
【００８１】
Ｒｅｆｅｒｅｎｃｅ  Ｅｆｆｅｃｔメタデータ３１２は、参照する感覚効果の位置属性情報を記述するメタデータ（ｕｒｉ、１４０２）と、感覚効果記述に必要な属性を集めたグループ属性であるＳＥＭ  Ｂａｓｅ  Ａｔｔｒｉｂｕｔｅｓメタデータ９０２、拡張可能な属性情報を記述するメタデータ（＃＃ｏｔｈｅｒ、１４０４）を備える。
【００８２】
図１５は、本発明の一実施形態に係るＲｅｆｅｒｅｎｃｅ  Ｅｆｆｅｃｔメタデータ３１２のスキーマ形態を示した図であって、図１４において説明されたＲｅｆｅｒｅｎｃｅ  Ｅｆｆｅｃｔ  Ｔｙｐｅメタデータ及びＲｅｆｅｒｅｎｃｅ  Ｅｆｆｅｃｔ  Ｔｙｐｅメタデータの要素をスキーマ形態で示している。
【００８３】
［表７］は、Ｒｅｆｅｒｅｎｃｅ  Ｅｆｆｅｃｔ  Ｔｙｐｅメタデータ１４００の記述構造を拡張性生成言語ＸＭＬスキーマ形態で表したものである。
【表７】
2012524452.tif 000011
【００８４】
図１６は、本発明の一実施形態に係るＤｅｃｌａｒａｔｉｏｎｓメタデータ３０６の要素を説明するための図である。
【００８５】
図１６に示すように、Ｄｅｃｌａｒａｔｉｏｎｓメタデータ３０６は、Ｄｅｃｌａｒａｔｉｏｎｓ  Ｔｙｐｅメタデータ１６００を利用し、ＳＥＭ  Ｂａｓｅ  Ｔｙｐｅ５００から拡張されることができる。
【００８６】
Ｄｅｃｌａｒａｔｉｏｎｓメタデータ３０６は、Ｇｒｏｕｐ  Ｏｆ  Ｅｆｆｅｃｔｓメタデータ３０８とＥｆｆｅｃｔメタデータ３１０、感覚効果に参照されるパラメータ情報を記述するＰａｒａｍｅｔｅｒメタデータ１６０２を備える。Ｄｅｃｌａｒａｔｉｏｎｓメタデータ３０６には、Ｇｒｏｕｐ  Ｏｆ  Ｅｆｆｅｃｔｓメタデータ３０８、Ｅｆｆｅｃｔメタデータ３１０、Ｐａｒａｍｅｔｅｒメタデータ１６０２のうち、１つが選択的に繰り返し記述され得る。
【００８７】
Ｇｒｏｕｐ  Ｏｆ  Ｅｆｆｅｃｔｓメタデータ３０８及びＥｆｆｅｃｔメタデータ３１０は、Ｄｅｃｌａｒａｔｉｏｎｓメタデータ３０６内に含まれて使用されたり、ＳＥＭメタデータ内に含まれて使用され得る。Ｇｒｏｕｐ  Ｏｆ  Ｅｆｆｅｃｔｓメタデータ３０８及びＥｆｆｅｃｔメタデータ３１０がＤｅｃｌａｒａｔｉｏｎｓメタデータ内で使用される場合は、予め定義されるデータとして使用され、ＳＥＭメタデータ内で使用される場合は、メディアの内容によるデータとして使用される。例えば、メディアに対する温度効果を持続的に表現しようとする場合、温度効果がＤｅｃｌａｒａｔｉｏｎｓメタデータ内に定義され得るし、状況に応じて温度効果を表現しようとする場合、温度効果は、ＳＥＭメタデータ内で定義され得る。
【００８８】
図１７は、本発明の一実施形態に係るＤｅｃｌａｒａｔｉｏｎｓメタデータ３０６のスキーマ形態を示した図であって、図１６において説明されたＤｅｃｌａｒａｔｉｏｎｓメタデータ及びＤｅｃｌａｒａｔｉｏｎｓ  Ｔｙｐｅメタデータの要素をスキーマ形態で示している。
【００８９】
［表８］は、Ｄｅｃｌａｒａｔｉｏｎｓ  Ｔｙｐｅメタデータ１６００の記述構造を拡張性生成言語ＸＭＬスキーマ形態で表したものである。
【表８】
2012524452.tif 000012
【００９０】
図１８は、本発明の一実施形態に係るＰａｒａｍｅｔｅｒメタデータ１６０２の要素を説明するための図である。
【００９１】
図１８に示すように、Ｐａｒａｍｅｔｅｒメタデータ１６０２は、ＰａｒａｍｅｔｅｒＢａｓｅ  Ｔｙｐｅメタデータ１８００を利用し、ＳＥＭ  Ｂａｓｅ  Ｔｙｐｅ５００から拡張されることができる。
【００９２】
図１９は、本発明の一実施形態に係るＰａｒａｍｅｔｅｒメタデータ１６０２のスキーマ形態を示した図であって、Ｐａｒａｍｅｔｅｒメタデータ及びＤｅｃｌａｒａｔｉｏｎｓ  Ｔｙｐｅメタデータの要素をスキーマ形態で示している。
【００９３】
［表９］は、Ｐａｒａｍｅｔｅｒ  Ｂａｓｅ  Ｔｙｐｅメタデータ１８００の記述構造を拡張性生成言語ＸＭＬスキーマ形態で表したものである。
【表９】
2012524452.tif 000013
【００９４】
図２０は、本発明の一実施形態に係るカラー補正パラメータ（Ｃｏｌｏｒ  Ｃｏｒｒｅｃｔｉｏｎ  Ｐａｒａｍｅｔｅｒ  Ｔｙｐｅ）メタデータ２０００の要素を説明するための図である。
【００９５】
図２０に示すように、カラー補正パラメータメタデータ２０００は、Ｐａｒａｍｅｔｅｒメタデータ１６０２の１つのタイプとして使用され、Ｐａｒａｍｅｔｅｒ  Ｂａｓｅ  Ｔｙｐｅ１８００から拡張されることができる。
【００９６】
カラー補正パラメータメタデータ２０００は、トーン再生カーブ情報（Ｔｏｎｅ  Ｒｅｐｒｏｄｕｃｔｉｏｎ  Ｃｕｒｖｅｓ、２００２）、変換情報（Ｃｏｎｖｅｒｓｉｏｎ  ＬＵＴ、２００４）、色温度情報（Ｃｏｌｏｒ  Ｔｅｍｐｅｒａｔｕｒｅ、２００６）、色域情報（Ｉｎｐｕｔ  Ｄｅｖｉｃｅ  Ｃｏｌｏｒ  Ｇａｍｕｔ、２００８）、及び照度情報（Ｉｌｌｕｍｉｎａｎｃｅ  Ｏｆ  Ｓｕｒｒｏｕｎｄ、２０１０）のうち、少なくとも１つを含む。
【００９７】
前述したように、コンテンツ製作環境と感覚再生装置との特性は相違するため、コンテンツの原本画像と同じ画像が感覚再生装置で再生され難い。すなわち、コンテンツを生成するために使用された装置と感覚再生装置とは、カラー特性に差異があるため、コンテンツの原本画像がそのまま感覚再生装置で再生される場合、カラー表現に差異が発生する。したがって、本発明は、コンテンツの原本画像に対するカラー補正効果情報を感覚再生装置に提供することにより、コンテンツの原本画像が感覚再生装置で再生され得るようにする。ここで、カラー補正効果情報は、カラー補正パラメータ及び後述する図３０のカラー補正効果（Ｃｏｌｏｒ  Ｃｏｒｒｅｃｔｉｏｎ  Ｔｙｐｅ）メタデータ３０００を含むことができる。
【００９８】
すなわち、感覚再生装置エンジン部１０９は、ＳＥＭメタデータからカラー補正パラメータを解析し、感覚再生装置がコンテンツの原本画像を復元したり、コンテンツ製作者の意図による画像を出力できるようにＳＤＣｍｄメタデータを生成する。または、感覚再生装置は、カラー補正パラメータを参照してコンテンツ製作者の意図によるカラー補正効果を表現することができる。
【００９９】
トーン再生カーブ情報（Ｔｏｎｅ  Ｒｅｐｒｏｄｕｃｔｉｏｎ  Ｃｕｒｖｅｓ、２００２）は、コンテンツの原本画像に対する原本画像ディスプレイ装置の特性を表す。すなわち、感覚再生装置１１３での成功的なカラー復元のために、コンテンツ生成に使用された原本画像ディスプレイ装置の特性を表すトーン再生カーブを記述するトーン再生カーブ情報（Ｔｏｎｅ  Ｒｅｐｒｏｄｕｃｔｉｏｎ  Ｃｕｒｖｅｓ、２００２）をカラー補正パラメータとして提供する。
【０１００】
変換情報（Ｃｏｎｖｅｒｓｉｏｎ  ＬＵＴ、２００４）は、原本画像のカラー空間で、標準カラー空間への変換のための情報を含む。原本画像のカラー空間と感覚再生装置１１３でのカラー空間とは差異があるため、原本画像のカラー空間が標準カラー空間でどのように変換され得るかに対するルックアップテーブル及びパラメータ情報を含む変換情報（Ｃｏｎｖｅｒｓｉｏｎ  ＬＵＴ、２００４）をカラー補正パラメータとして提供する。
【０１０１】
色温度情報（Ｃｏｌｏｒ  Ｔｅｍｐｅｒａｔｕｒｅ、２００６）は、原本画像の生成空間で使用された照明の色温度情報を表す。すなわち、色温度情報（Ｃｏｌｏｒ  Ｔｅｍｐｅｒａｔｕｒｅ、２００６）は、原本画像の作業空間で使用された照明光源に対する色温度情報を含む。
【０１０２】
色域情報（Ｉｎｐｕｔ  Ｄｅｖｉｃｅ  Ｃｏｌｏｒ  Ｇａｍｕｔ、２００８）は、原本画像ディスプレイ装置に対する色域情報を表す。原本画像ディスプレイ装置の色域と、感覚再生装置１１３の色域とには差異があるため、原本画像ディスプレイ装置に対する色域情報を含む色域情報（Ｉｎｐｕｔ  Ｄｅｖｉｃｅ  Ｃｏｌｏｒ  Ｇａｍｕｔ）をカラー補正パラメータとして提供する。
【０１０３】
照度情報（Ｉｌｌｕｍｉｎａｎｃｅ  Ｏｆ  Ｓｕｒｒｏｕｎｄ、２０１０）は、コンテンツを再生する消費者の照度情報を表す。
【０１０４】
一方、本発明では、色空間変換のための方法として、ゲインオフセットガンマ（ＧＯＧ：Ｇａｉｎ  Ｏｆｆｓｅｔ  Ｇａｍｍａ）モデルが一実施形態として使用されるが、多項変換（Ｐｏｌｙｎｏｍｉａｌ）やＰＬＣＣのような他の変換モデルが使用されることもできる。
【０１０５】
図２１は、本発明の一実施形態に係るカラー補正パラメータメタデータ２０００のスキーマ形態を示した図であって、カラー補正パラメータメタデータ及びカラー補正パラメータメタデータの要素をスキーマ形態で示している。
【０１０６】
［表１０］は、カラー補正パラメータメタデータ２０００の記述構造を拡張性生成言語ＸＭＬスキーマ形態で表したものである。
【表１０】
2012524452.tif 000014
【０１０７】
図２２は、本発明の一実施形態に係るトーン再生カーブ（Ｔｏｎｅ  Ｒｅｐｒｏｄｕｃｔｉｏｎ  Ｃｕｒｖｅｓ）メタデータ２００２の要素を説明するための図である。
【０１０８】
図２２に示すように、トーン再生カーブメタデータ２００２は、Ｔｏｎｅ  Ｒｅｐｒｏｄｕｃｔｉｏｎ  Ｃｕｒｖｅｓ  Ｔｙｐｅメタデータ２２００を利用する。
【０１０９】
Ｔｏｎｅ  Ｒｅｐｒｏｄｕｃｔｉｏｎ  Ｃｕｒｖｅｓ  Ｔｙｐｅメタデータ２２００は、原本画像ディスプレイ装置のＲＧＢチャネルに対するＤＡＣ（Ｄｉｇｉｔａｌ  ｔｏ  Ａｎａｌｏｇ  Ｃｏｎｖｅｒｓｉｏｎ）値及びＤＡＣ値（ＤＡＣ＿ｖａｌｕｅ、２２０２）によるＲＧＢチャネルのＲＧＢ値（ＲＧＢ＿ｖａｌｕｅ、２２０４）を含む。ＤＡＣ値及びＲＧＢ値は、ガンマ値、すなわち、トーン再生カーブを求めるためである。ガンマ（Ｇａｍｍａ）値は、ディスプレイ装置の入力と出力の相互関係を表す数値であって、入力電圧に対する明るさの比例を表す。
【０１１０】
すなわち、入力電圧によってＲＧＢチャネルから出力されるデジタル値であるＤＡＣ値と、測色器によって測定されるＲＧＢ値とを介してガンマ値が求められ得る。感覚再生装置１１３は、ＤＡＣ値及びＲＧＢ値を介して算出されたガンマ値を参照してコンテンツを再生したり、カラー補正効果を表現することができる。
【０１１１】
ＤＡＣ＿Ｖａｌｕｅメタデータ２２０２及びＲＧＢ＿Ｖａｌｕｅメタデータ２２０４は、一対（順番に記述）で最小１番から最大２５６番までトーン再生カーブメタデータ２００２に繰り返し記述され得る。
【０１１２】
図２３は、本発明の一実施形態に係るＴｏｎｅ  Ｒｅｐｒｏｄｕｃｔｉｏｎ  Ｃｕｒｖｅｓ  Ｔｙｐｅメタデータ２２００のスキーマ形態を説明するための図であって、Ｔｏｎｅ  Ｒｅｐｒｏｄｕｃｔｉｏｎ  Ｃｕｒｖｅｓ  Ｔｙｐｅメタデータ及びＴｏｎｅ  Ｒｅｐｒｏｄｕｃｔｉｏｎ  Ｃｕｒｖｅｓ  Ｔｙｐｅメタデータの要素をスキーマ形態で示している。
【０１１３】
［表１１］は、Ｔｏｎｅ  Ｒｅｐｒｏｄｕｃｔｉｏｎ  Ｃｕｒｖｅｓ  Ｔｙｐｅメタデータ２２００の記述構造を拡張性生成言語ＸＭＬスキーマ形態で表したものである。
【表１１】
2012524452.tif 000015
【０１１４】
図２４は、本発明の一実施形態に係る画像変換ルックアップテーブル及びパラメータ（Ｃｏｎｖｅｒｓｉｏｎ  ＬＵＴ）メタデータ２００４の要素を説明するための図である。画像変換ルックアップテーブル及びパラメータ（Ｃｏｎｖｅｒｓｉｏｎ  ＬＵＴ）メタデータ２００４は、前述した変換情報に対応する。
【０１１５】
図２４に示すように、画像変換ルックアップテーブル及びパラメータ（Ｃｏｎｖｅｒｓｉｏｎ  ＬＵＴ）メタデータ２００４は、Ｃｏｎｖｅｒｓｉｏｎ  ＬＵＴ  Ｔｙｐｅメタデータ２４００を利用する。
【０１１６】
画像変換ルックアップテーブル及びパラメータ（Ｃｏｎｖｅｒｓｉｏｎ  ＬＵＴ）メタデータ２００４は、ルックアップテーブル情報（ＲＧＢ＿ＸＹＺ＿ＬＵＴ、２４０２）、パラメータ情報、及び逆変換ルックアップテーブル情報（Ｉｎｖｅｒｓｅ  ＬＵＴ、２４１０）を含む。
【０１１７】
ルックアップテーブル情報（ＲＧＢ＿ＸＹＺ＿ＬＵＴ、２４０２）は、ＲＧＢ色空間をＸＹＺ色空間に変換するための情報であり、逆変換ルックアップテーブル情報（Ｉｎｖｅｒｓｅ  ＬＵＴ、２４１０）は、ＸＹＺ色空間をＲＧＢ色空間に逆変換するための情報である。
【０１１８】
パラメータ情報は、ＧＯＧ（Ｇａｉｎ  Ｏｆｆｓｅｔ  Ｇａｍｍａ）変換のための原本画像ディスプレイ装置のゲイン、オフセット、ガンマ値、及びＲＧＢチャネルに対するＲＧＢスカラー最大値を記述する。すなわち、パラメータ情報は、ＧＯＧ変換のために必要な各チャネルのＲＧＢスカラー（Ｓｃａｌａｒ）最大値を記述するＲＧＢＳｃａｌａｒ＿Ｍａｘ２４０４及び原本カラーディスプレイ装置のオフセット（ｏｆｆｓｅｔ）値を記述するＯｆｆｓｅｔ＿Ｖａｌｕｅ２４０６、ＧＯＧ変換のために必要なパラメータである原本カラーディスプレイ装置のゲイン、オフセット、ガンマ値を記述するＧａｉｎ＿Ｏｆｆｓｅｔ＿Ｇａｍｍａ２４０８を備える。
【０１１９】
すなわち、変換情報によれば、原本画像のカラー空間であるＲＧＢ色空間が標準カラー空間であるＸＹＺ色空間に変換され得るし、感覚再生装置１１３は、変換情報を参照してコンテンツを再生したり、カラー補正効果を表現することができる。
【０１２０】
図２５は、本発明の一実施形態に係るＣｏｎｖｅｒｓｉｏｎ  ＬＵＴ  Ｔｙｐｅメタデータ２４００のスキーマ形態を示した図であって、図２４において説明されたＣｏｎｖｅｒｓｉｏｎ  ＬＵＴ  Ｔｙｐｅメタデータ及びＣｏｎｖｅｒｓｉｏｎ  ＬＵＴ  Ｔｙｐｅメタデータの要素をスキーマ形態で示している。
【０１２１】
［表１２］は、Ｔｏｎｅ  Ｃｏｎｖｅｒｓｉｏｎ  ＬＵＴ  Ｔｙｐｅメタデータ２４００の記述構造を拡張性生成言語ＸＭＬスキーマ形態で表したものである。
【表１２】
2012524452.tif 000016
【０１２２】
図２６は、本発明の一実施形態に係る照明光源の色温度（Ｃｏｌｏｒ  Ｔｅｍｐｅｒａｔｕｒｅ）メタデータ２００６の要素を説明するための図である。
【０１２３】
図２６に示すように、照明光源の色温度（Ｃｏｌｏｒ  Ｔｅｍｐｅｒａｔｕｒｅ）メタデータ２００６は、Ｉｌｌｕｍｉｎａｎｔ  Ｔｙｐｅメタデータ２６００を利用する。
【０１２４】
色温度情報（Ｃｏｌｏｒ  Ｔｅｍｐｅｒａｔｕｒｅ、２００６）は、照明のタイプ情報（Ｄａｙｌｉｇｈｔ、２６０２）、照明のタイプにしたがう白色基準点色度（ｗｈｉｔｅ  ｐｏｉｎｔ  ｃｈｒｏｍａｔｉｃｉｔｙ）値（ｘｙ＿Ｖａｌｕｅ、２６０４）、及び照明の明暗度値（Ｙ＿Ｖａｌｕｅ、２６０６）を含むことができる。または、色温度情報２００６は、照明の相関色温度（Ｃｏｒｒｅｌａｔｅｄ  Ｃｏｌｏｒ  Ｔｅｍｐｅｒａｔｕｒｅ）情報（Ｃｏｒｒｅｌａｔｅｄ＿ＣＴ、２６０８）を含むことができる。すなわち、Ｄａｙｌｉｇｈｔ２６０２、ｘｙ＿Ｖａｌｕｅ２６０４、Ｙ＿Ｖａｌｕｅ２６０６は、照明光源の色温度（Ｃｏｌｏｒ  Ｔｅｍｐｅｒａｔｕｒｅ）メタデータ２００６に共に記述される必要があり、選択的に、Ｃｏｒｒｅｌａｔｅｄ＿ＣＴ２６０８のみが照明光源の色温度（Ｃｏｌｏｒ  Ｔｅｍｐｅｒａｔｕｒｅ）メタデータ２００６に記述され得る。
【０１２５】
ここで、照明のタイプは、ＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ）標準照明の名前（タイプ）による照明タイプでありうるし、ｘｙ＿Ｖａｌｕｅメタデータ２６０４は、ＭＰＥＧ−２１ＤＩＡのＣｈｒｏｍａｔｉｃｉｔｙ  Ｔｙｐｅメタデータを利用することができる。
【０１２６】
感覚再生装置１１３は、色温度情報（Ｃｏｌｏｒ  Ｔｅｍｐｅｒａｔｕｒｅ、２００６）を参照してコンテンツを再生したり、カラー補正効果を表現することができる。
【０１２７】
図２７は、本発明の一実施形態に係るＩｌｌｕｍｉｎａｎｔ  Ｔｙｐｅメタデータ２６００のスキーマ形態を示した図であって、Ｉｌｌｕｍｉｎａｎｔ  Ｔｙｐｅメタデータ及びＩｌｌｕｍｉｎａｎｔ  Ｔｙｐｅメタデータの要素をスキーマ形態で示している。
【０１２８】
［表１３］は、Ｉｌｌｕｍｉｎａｎｔ  Ｔｙｐｅメタデータ２６００の記述構造を拡張性生成言語ＸＭＬスキーマ形態で表したものである。
【表１３】
2012524452.tif 000017
【０１２９】
図２８は、本発明の一実施形態に係る入力装置色域（Ｉｎｐｕｔ  Ｄｅｖｉｃｅ  Ｃｏｌｏｒ  Ｇａｍｕｔ）メタデータ２００８の要素を説明するための図である。
【０１３０】
図２８に示すように、入力装置色域（Ｉｎｐｕｔ  Ｄｅｖｉｃｅ  Ｃｏｌｏｒ  Ｇａｍｕｔ）メタデータ２００８は、Ｉｎｐｕｔ  Ｄｅｖｉｃｅ  Ｃｏｌｏｒ  Ｇａｍｕｔ  Ｔｙｐｅメタデータ２８００を利用する。
【０１３１】
色域情報（Ｉｎｐｕｔ  Ｄｅｖｉｃｅ  Ｃｏｌｏｒ  Ｇａｍｕｔ、２００８）は、原本画像ディスプレイ装置の種類情報（ＩＤＣＧ＿Ｔｙｐｅ、２８０２）及び原本画像ディスプレイ装置の最大ＤＡＣ値による色域値（ＩＤＣＧ＿Ｖａｌｕｅ、２８０４）を含む。すなわち、ＩＤＣＧ＿Ｔｙｐｅ２８０２は、コンテンツの原本画像を受信する入力機器の種類を記述し、ＩＤＣＧ＿Ｖａｌｕｅ２８０４は、入力機器の最大ＤＡＣ値での色域値をｘ、ｙ座標上の値で記述する。
【０１３２】
感覚再生装置１１３は、色域情報（Ｉｎｐｕｔ  Ｄｅｖｉｃｅ  Ｃｏｌｏｒ  Ｇａｍｕｔ、２００８）を参照してコンテンツを再生したり、カラー補正効果を表現することができる。
【０１３３】
図２９は、本発明の一実施形態に係るＩｎｐｕｔ  Ｄｅｖｉｃｅ  Ｃｏｌｏｒ  Ｇａｍｕｔ  Ｔｙｐｅメタデータ２８００のスキーマ形態を示した図であって、図２８において説明されたＩｎｐｕｔ  Ｄｅｖｉｃｅ  Ｃｏｌｏｒ  Ｇａｍｕｔ  Ｔｙｐｅメタデータ及びＩｎｐｕｔ  Ｄｅｖｉｃｅ  Ｃｏｌｏｒ  Ｇａｍｕｔ  Ｔｙｐｅメタデータの要素をスキーマ形態で表している。
【０１３４】
［表１４］は、Ｉｎｐｕｔ  Ｄｅｖｉｃｅ  Ｃｏｌｏｒ  Ｇａｍｕｔ  Ｔｙｐｅメタデータ２８００の記述構造を拡張性生成言語ＸＭＬスキーマ形態で表したものである。
【表１４】
2012524452.tif 000018
【０１３５】
図３０は、本発明の一実施形態に係るカラー補正効果（Ｃｏｌｏｒ  Ｃｏｒｒｅｃｔｉｏｎ  Ｔｙｐｅ）メタデータ３０００の要素を説明するための図である。図３０では、感覚効果情報の一実施形態としてカラー補正効果（Ｃｏｌｏｒ  Ｃｏｒｒｅｃｔｉｏｎ  Ｔｙｐｅ）情報３０００が説明される。
【０１３６】
図３０に示すように、カラー補正効果（Ｃｏｌｏｒ  Ｃｏｒｒｅｃｔｉｏｎ  Ｔｙｐｅ）メタデータ３０００は、Ｅｆｆｅｃｔメタデータ３１０の１つのタイプとして使用され、Ｅｆｆｅｃｔ  Ｂａｓｅ  Ｔｙｐｅ９００から拡張されることができる。
【０１３７】
カラー補正効果メタデータ３０００は、視空間位置記述子（Ｓｐａｔｉｏ  Ｔｅｍｐｏｒａｌ  Ｌｏｃａｔｏｒ、３００２）及び視空間マスク記述子（Ｓｐａｔｉｏ  Ｔｅｍｐｏｒａｌ  Ｍａｓｋ、３００４）のうち、１つ以上を含むことができる。Ｓｐａｔｉｏ  Ｔｅｍｐｏｒａｌ  Ｌｏｃａｔｏｒ３００２及びＳｐａｔｉｏ  Ｔｅｍｐｏｒａｌ  Ｍａｓｋ３００４は、全て部分的なカラー補正適用のために、カラー補正範囲及び位置変化によってカラー補正がなされる範囲（または事物）を追跡及び補間するために使用される要素であって、Ｓｐａｔｉｏ  Ｔｅｍｐｏｒａｌ  Ｌｏｃａｔｏｒ３００２は、カラー補正オブジェクトの位置を座標を利用して表し、Ｓｐａｔｉｏ  Ｔｅｍｐｏｒａｌ  Ｍａｓｋ３００４は、カラー補正オブジェクトの位置をマスクを利用して表す。
【０１３８】
感覚再生装置１１３は、前述したカラー補正パラメータメタデータ２０００を参照してカラー補正効果（Ｃｏｌｏｒ  Ｃｏｒｒｅｃｔｉｏｎ  Ｔｙｐｅ）メタデータ３０００によるカラー補正効果を表現することができる。
【０１３９】
Ｓｐａｔｉｏ  Ｔｅｍｐｏｒａｌ  Ｌｏｃａｔｏｒ３００２は、ＭＰＥＧ−７  ＭＤＳのＳｐａｔｉｏ  Ｔｅｍｐｏｒａｌ  Ｌｏｃａｔｏｒ  Ｔｙｐｅが利用され得るし、Ｓｐａｔｉｏ  Ｔｅｍｐｏｒａｌ  Ｍａｓｋ３００４は、ＭＰＥＧ−７ＭＤＳのＳｐａｔｉｏ  Ｔｅｍｐｏｒａｌ  Ｍａｓｋ  Ｔｙｐｅが利用され得る。
【０１４０】
図３１は、本発明の一実施形態に係るカラー補正効果メタデータ３０００のスキーマ形態を示した図であって、図３０において説明されたカラー補正効果メタデータ及びカラー補正効果メタデータの要素をスキーマ形態で示している。
【０１４１】
［表１５］は、カラー補正効果メタデータ３０００の記述構造を拡張性生成言語ＸＭＬスキーマ形態で表したものである。
【表１５】
2012524452.tif 000019
【０１４２】
図３２は、本発明の一実施形態に係る風効果（Ｗｉｎｄ  Ｔｙｐｅ）メタデータ３２００の要素を説明するための図である。図３２では、感覚効果情報の一実施形態として風効果メタデータ３２００が説明される。
【０１４３】
図３２に示すように、風効果（Ｗｉｎｄ  Ｔｙｐｅ）メタデータ３２００は、Ｅｆｆｅｃｔメタデータ３１０の１つのタイプとして使用され、Ｅｆｆｅｃｔ  Ｂａｓｅ  Ｔｙｐｅ９００から拡張されることができる。
【０１４４】
図３３は、本発明の一実施形態に係る風効果メタデータ３２００のスキーマ形態を示した図であって、風効果メタデータ及び風効果メタデータの要素をスキーマ形態で示している。
【０１４５】
［表１６］は、風効果メタデータ３２００の記述構造を拡張性生成言語ＸＭＬスキーマ形態で表したものである。
【表１６】
2012524452.tif 000020
【０１４６】
図３４は、本発明の一実施形態に係るＵＳＰメタデータ生成部１０３を説明するための図である。
【０１４７】
図３４に示すように、本発明に係るＵＳＰメタデータ生成部１０３は、メタデータ生成部３４０１及び伝送部３４０３を備える。
【０１４８】
メタデータ生成部３４０１は、感覚効果に対する消費者の選好情報を含むＵＳＰメタデータ３４００を生成する。そして、伝送部３４０３は、ＵＳＰメタデータ３４００を分析し、感覚効果を再生する感覚再生装置１１３に対する制御情報を生成する感覚再生装置エンジン部１０９にＵＳＰメタデータ３４００を伝送する。
【０１４９】
ここで、感覚効果情報は、カラー補正効果情報、風効果情報、振動情報、温度情報、メイン照明情報、及び周辺照明情報のうち、１つ以上を含むことができる。例えば、ＵＳＰメタデータ３４００は、カラー補正効果に対する消費者の選好情報を含むことができる。
【０１５０】
図３５は、本発明の一実施形態に係るＵＳＰメタデータ３４００の要素を説明するための図である。
【０１５１】
図３５に示すように、本発明に係るＵＳＰメタデータ３４００は、拡張可能な属性情報を記述するメタデータ（＃＃ｏｔｈｅｒ、３５００）と最終ユーザの個人情報を記述するメタデータ（Ｕｓｅｒ、３５０２）、感覚効果に対する選好情報を記述するメタデータ（Ｐｒｅｆｅｒｅｎｃｅ、３５０４）を備える。
【０１５２】
ここで、感覚効果に対する選好情報は、カラー補正効果に対する選好情報でありうるし、Ｐｒｅｆｅｒｅｎｃｅメタデータ３５０４は、少なくとも１回以上記述される必要がある。感覚再生装置エンジン部１０９は、ＵＳＰメタデータ３４００を利用してユーザのカラー補正効果に対する選好可否によるＳＤＣｍｄメタデータを生成することができる。
【０１５３】
図３６は、本発明の一実施形態に係るＵＳＰメタデータ３４００のスキーマ形態を示した図であって、図３５において説明されたＵＳＰメタデータ及びＵＳＰメタデータの要素をスキーマ形態で示している。
【０１５４】
［表１７］は、ＵＳＰメタデータ３４００の記述構造を拡張性生成言語（ＸＭＬ：ｅＸｔｅｎｓｉｂｌｅ  Ｍａｒｋｕｐ  Ｌａｎｇｕａｇｅ）スキーマ（Ｓｃｈｅｍａ）形態で表したものである。
【表１７】
2012524452.tif 000021
【０１５５】
図３７は、本発明の一実施形態に係るＵＳＰメタデータのスキーマのデータタイプ（ｄａｔａ  ｔｙｐｅ）を説明するための図である。
【０１５６】
図３７に示すように、本発明に係るＵＳＰメタデータのスキーマタイプは、最上位基本タイプとして提供されるＵＳＰ  Ｂａｓｅ  Ｔｙｐｅ３７００である。ＵＳＰ  Ｂａｓｅ  Ｔｙｐｅメタデータ３７００は、識別可能な属性情報を含む識別子情報メタデータ（ｉｄ、３７０２）を含む。すなわち、ＵＳＰメタデータに含まれる情報は、識別子情報メタデータ（ｉｄ、３７０２）によって識別され得る。
【０１５７】
ＵＳＰ  Ｂａｓｅ  Ｔｙｐｅ３７００は、ＵＳＰメタデータに含まれた複数のメタデータに対する基本タイプになり、ＵＳＰメタデータに含まれた複数のメタデータは、ＳＥＭ  Ｂａｓｅ  Ｔｙｐｅ５００から拡張されたデータタイプを使用することができる。すなわち、例えば、Ｐｒｅｆｅｒｅｎｃｅメタデータ３５０４の基本タイプ（Ｐｒｅｆｅｒｅｎｃｅ  Ｂａｓｅ  Ｔｙｐｅ）として使用されることができる。このとき、ＵＳＰ  Ｂａｓｅ  Ｔｙｐｅ３７００から拡張されたデータタイプは、ＵＳＰ  Ｂａｓｅ  Ｔｙｐｅ３７００の属性や情報を全て含む。
【０１５８】
図３８は、本発明の一実施形態に係るＵＳＰ  Ｂａｓｅ  Ｔｙｐｅメタデータ３７００のスキーマ形態を示した図であって、図３７において説明されたＵＳＰ  Ｂａｓｅ  Ｔｙｐｅメタデータ及びＵＳＰ  Ｂａｓｅ  Ｔｙｐｅメタデータの要素をスキーマ形態で示している。
【０１５９】
［表１８］は、ＵＳＰ  Ｂａｓｅ  Ｔｙｐｅメタデータ３７００の記述構造を拡張性生成言語ＸＭＬスキーマ形態で表したものである。
【表１８】
2012524452.tif 000022
【０１６０】
図３９は、本発明の一実施形態に係る感覚効果選好情報（Ｐｒｅｆｅｒｅｎｃｅ）メタデータ３５０４の要素を説明するための図である。
【０１６１】
図３９に示すように、感覚効果選好情報（Ｐｒｅｆｅｒｅｎｃｅ）メタデータ３５０４は、Ｐｒｅｆｅｒｅｎｃｅ  Ｂａｓｅ  Ｔｙｐｅメタデータ３９００を利用し、Ｐｒｅｆｅｒｅｎｃｅ  Ｂａｓｅ  Ｔｙｐｅメタデータ３９００は、ＵＳＰ  Ｂａｓｅ  Ｔｙｐｅ３７００から拡張されることができる。
【０１６２】
Ｐｒｅｆｅｒｅｎｃｅ  Ｂａｓｅ  Ｔｙｐｅメタデータ３９００は、感覚効果選好情報の記述に必要な属性を集めたグループ属性であるＵＳＰ  Ｂａｓｅ  Ａｔｔｒｉｂｕｔｅｓメタデータ３９０２及び拡張可能な属性情報を記述するメタデータ（＃＃ｏｔｈｅｒ、３９０４）を備える。そして、ＵＳＰ  Ｂａｓｅ  Ａｔｔｒｉｂｕｔｅｓメタデータ３９０２は、再生効果の活性化を表す属性情報を記述するメタデータ（ａｃｔｉｖａｔｅ、３９０６）及び最大再生強度を表す属性情報を記述するメタデータ（ｍａｘＩｎｔｅｎｓｉｔｙ、３９０８）を備える。
【０１６３】
図４０は、本発明の一実施形態に係るＰｒｅｆｅｒｅｎｃｅ  Ｂａｓｅ  Ｔｙｐｅメタデータ３９００のスキーマ形態を示した図であって、Ｐｒｅｆｅｒｅｎｃｅ  Ｂａｓｅ  Ｔｙｐｅメタデータ及びＰｒｅｆｅｒｅｎｃｅ  Ｂａｓｅ  Ｔｙｐｅメタデータの要素をスキーマ形態で示している。
【０１６４】
［表１９］は、Ｐｒｅｆｅｒｅｎｃｅ  Ｂａｓｅ  Ｔｙｐｅメタデータ３９００の記述構造を拡張性生成言語ＸＭＬスキーマ形態で表したものである。
【表１９】
2012524452.tif 000023
【０１６５】
図４１は、本発明の一実施形態に係るカラー補正効果選好情報メタデータ４１００の要素を説明するための図であって、カラー補正効果選好情報メタデータ４１００は、Ｐｒｅｆｅｒｅｎｃｅメタデータ３５０４の１つのタイプとして使用される。
【０１６６】
図４１に示すように、カラー補正効果選好情報メタデータ４１００は、Ｐｒｅｆｅｒｅｎｃｅ  Ｂａｓｅ  Ｔｙｐｅメタデータ３９００から拡張されることができる。
【０１６７】
図４２は、本発明の一実施形態に係るカラー補正効果に対する選好情報メタデータ４１００のスキーマ形態を示した図であって、カラー補正効果選好情報メタデータ及びカラー補正効果選好情報メタデータの要素をスキーマ形態で示している。
【０１６８】
［表２０］は、カラー補正効果選好情報メタデータ４１００の記述構造を拡張性生成言語ＸＭＬスキーマ形態で表したものである。
【表２０】
2012524452.tif 000024
【０１６９】
図４３は、本発明の一実施形態に係るＳＤＣａｐメタデータ生成部１０７を説明するための図である。
【０１７０】
図４３に示すように、本発明に係るＳＤＣａｐメタデータ生成部１０７は、メタデータ生成部４３０１及び伝送部４３０３を備える。
【０１７１】
メタデータ生成部４３０１は、感覚効果に対する感覚効果再生装置の再生能力情報を含むＳＤＣａｐメタデータ４３００を生成する。そして、伝送部４３０３は、ＳＤＣａｐメタデータ４３００を分析し、感覚効果を再生する感覚再生装置１１３に対する制御情報を生成する感覚再生装置エンジン部１０９にＳＤＣａｐメタデータ４３００を伝送する。
【０１７２】
ここで、感覚効果情報は、カラー補正効果情報、風効果情報、振動情報、温度情報、メイン照明情報、及び周辺照明情報のうち、１つ以上を含むことができる。例えば、ＳＤＣａｐメタデータ４３００は、カラー補正効果に対する感覚再生装置１１３の再生能力情報を含むことができる。
【０１７３】
図４４は、本発明の一実施形態に係るＳＤＣａｐメタデータ４３００の要素を説明するための図である。
【０１７４】
図４４に示すように、本発明に係るＳＤＣａｐメタデータ４３００は、拡張可能な属性情報を記述するメタデータ（＃＃ｏｔｈｅｒ、４４００）及び感覚効果再生装置の再生能力情報に対するメタデータ（ＤｅｖｉｃｅＣａｐａｂｉｌｉｔｙ、４４０２）を備える。
【０１７５】
ここで、Ｄｅｖｉｃｅ  Ｃａｐａｂｉｌｉｔｙメタデータ４４０２は、少なくとも１回以上記述される必要がある。
【０１７６】
図４５は、本発明の一実施形態に係るＳＤＣａｐメタデータ４３００のスキーマ形態を示した図であって、図４４において説明されたＳＤＣａｐメタデータ及びＳＤＣａｐメタデータの要素をスキーマ形態で示している。
【０１７７】
［表２１］は、ＳＤＣａｐメタデータ４３００の記述構造を拡張性生成言語（ＸＭＬ）スキーマ（Ｓｃｈｅｍａ）形態で表したものである。
【表２１】
2012524452.tif 000025
【０１７８】
図４６は、本発明の一実施形態に係るＳＤＣａｐメタデータ４３００のスキーマのデータタイプ（ｄａｔａ  ｔｙｐｅ）を説明するための図である。
【０１７９】
図４６に示すように、本発明に係るＳＤＣａｐメタデータ４３００のスキーマタイプは、最上位基本タイプとして提供されるＳＤＣａｐ  Ｂａｓｅ  Ｔｙｐｅ４６００である。ＳＤＣａｐ  Ｂａｓｅ  Ｔｙｐｅメタデータ４６００は、識別可能な属性情報を含む識別子情報メタデータ（ｉｄ、４６０２）を備える。すなわち、ＳＤＣａｐメタデータに含まれる情報は、識別子情報メタデータ（ｉｄ、４６０２）によって識別され得る。
【０１８０】
ＳＤＣａｐ  Ｂａｓｅ  Ｔｙｐｅ４６００は、ＳＤＣａｐメタデータに含まれた複数のメタデータに対する基本タイプになり、ＳＤＣａｐメタデータに含まれた複数のメタデータは、ＳＤＣａｐ  Ｂａｓｅ  Ｔｙｐｅ４６００から拡張されたデータタイプを使用することができる。すなわち、例えば、ＳＤＣａｐ  Ｂａｓｅ  Ｔｙｐｅ４６００は、Ｄｅｖｉｃｅ  Ｃａｐａｂｉｌｉｔｙメタデータ４４０２の基本タイプ（Ｄｅｖｉｃｅ  Ｃａｐａｂｉｌｉｔｙ  Ｂａｓｅ  Ｔｙｐｅ）として使用されることができる。このとき、ＳＤＣａｐ  Ｂａｓｅ  Ｔｙｐｅ４６００から拡張されたデータタイプは、ＳＤＣａｐ  Ｂａｓｅ  Ｔｙｐｅ４６００の属性や情報を全て含む。
【０１８１】
図４７は、本発明の一実施形態に係るＳＤＣａｐ  Ｂａｓｅ  Ｔｙｐｅメタデータ４６００のスキーマ形態を示した図であって、図４６において説明されたＳＤＣａｐ  Ｂａｓｅ  Ｔｙｐｅメタデータ及びＳＤＣａｐ  Ｂａｓｅ  Ｔｙｐｅメタデータの要素をスキーマ形態で示している。
【０１８２】
［表２２］は、ＳＤＣａｐ  Ｂａｓｅ  Ｔｙｐｅメタデータ４６００の記述構造を拡張性生成言語ＸＭＬスキーマ形態で表したものである。
【表２２】
2012524452.tif 000026
【０１８３】
図４８は、本発明の一実施形態に係るＤｅｖｉｃｅ  Ｃａｐａｂｉｌｉｔｙメタデータ４４０２の要素を説明するための図である。
【０１８４】
図４８に示すように、本発明に係るＤｅｖｉｃｅ  Ｃａｐａｂｉｌｉｔｙメタデータ４４０２は、Ｄｅｖｉｃｅ  Ｃａｐａｂｉｌｉｔｙ  Ｂａｓｅ  Ｔｙｐｅメタデータ４８００を利用し、Ｄｅｖｉｃｅ  Ｃａｐａｂｉｌｉｔｙ  Ｂａｓｅ  Ｔｙｐｅメタデータ４８００は、ＳＤＣａｐ  Ｂａｓｅ  Ｔｙｐｅ４６００から拡張されることができる。
【０１８５】
Ｄｅｖｉｃｅ  Ｃａｐａｂｉｌｉｔｙ  Ｂａｓｅ  Ｔｙｐｅメタデータ４８００は、感覚再生装置能力記述に必要な属性を集めたグループ属性であるＳＤＣａｐ  Ｂａｓｅ  Ａｔｔｒｉｂｕｔｅｓメタデータ４８０２及び拡張可能な属性情報を記述するメタデータ（＃＃ｏｔｈｅｒ、４８０４）を備える。ＳＤＣａｐ  Ｂａｓｅ  Ａｔｔｒｉｂｕｔｅｓメタデータ４８０２は、最大再生能力を表す属性情報を記述するメタデータ（ｍａｘＩｎｔｅｎｓｉｔｙ、４８０６）及び感覚再生装置の位置情報を表す属性情報を記述するメタデータ（ｐｏｓｉｔｉｏｎ、４８０８）を備える。
【０１８６】
図４９は、本発明の一実施形態に係るＤｅｖｉｃｅ  Ｃａｐａｂｉｌｉｔｙ  ＢａｓｅＴｙｐｅメタデータ４８００のスキーマ形態を示した図であって、Ｄｅｖｉｃｅ  Ｃａｐａｂｉｌｉｔｙ  Ｂａｓｅ  Ｔｙｐｅメタデータ及びＤｅｖｉｃｅ  Ｃａｐａｂｉｌｉｔｙ  Ｂａｓｅ  Ｔｙｐｅメタデータの要素をスキーマ形態で示している。
【０１８７】
［表２３］は、Ｄｅｖｉｃｅ  Ｃａｐａｂｉｌｉｔｙ  Ｂａｓｅ  Ｔｙｐｅメタデータ４８００の記述構造を拡張性生成言語ＸＭＬスキーマ形態で表したものである。
【表２３】
2012524452.tif 000027
【０１８８】
図５０は、本発明の一実施形態に係るカラー補正効果に対する感覚再生装置１１３の再生能力情報を表現するためのカラー補正装置能力情報メタデータ５０００の要素を説明するための図である。
【０１８９】
図５０に示すように、カラー補正装置能力情報メタデータ５０００は、Ｄｅｖｉｃｅ  Ｃａｐａｂｉｌｉｔｙ  Ｂａｓｅ  Ｔｙｐｅメタデータ４８００を拡張されることができ、Ｄｅｖｉｃｅ  Ｃａｐａｂｉｌｉｔｙメタデータ４４０２の１つのタイプ（ｔｙｐｅ）として使用される。
【０１９０】
図５１は、本発明の一実施形態に係るカラー補正装置能力情報メタデータ５０００のスキーマ形態を示した図であって、カラー補正装置能力情報メタデータ及びカラー補正装置能力情報メタデータの要素をスキーマ形態で示している。
【０１９１】
［表２４］は、カラー補正装置能力情報メタデータ５０００の記述構造を拡張性生成言語ＸＭＬスキーマ形態で表したものである。
【表２４】
2012524452.tif 000028
【０１９２】
図５２は、本発明の一実施形態に係るＳＤＣｍｄメタデータ生成部１０９を説明するための図である。
【０１９３】
図５２に示すように、本発明に係るＳＤＣａｐメタデータ生成部１０９は、メタデータ生成部５２０１及び伝送部５２０３を備える。
【０１９４】
メタデータ生成部５２０１は、感覚効果を再生する感覚再生装置１１３に対する感覚効果制御情報を含むＳＤＣｍｄメタデータ５２００を生成する。このとき、メタデータ生成部５２０１は、感覚再生装置エンジン部１０９からＳＥＭメタデータ、ＵＳＰメタデータ、及びＳＤＣａｐメタデータのうち、１つ以上に対する解析結果を受信してＳＤＣｍｄメタデータ５２００を生成することができる。
【０１９５】
そして、伝送部５２０３は、感覚再生装置１１３を制御する制御装置にＳＤＣｍｄメタデータ５２００を伝送する。制御装置は、例えば、感覚再生装置制御部１１１または感覚再生装置１１３に含まれた制御装置でありうる。
【０１９６】
ここで、感覚効果情報は、カラー補正効果情報、風効果情報、振動情報、温度情報、メイン照明情報、及び周辺照明情報のうち、１つ以上を含むことができる。例えば、ＳＤＣｍｄメタデータ５２００は、カラー補正効果に対する制御情報を含むことができる。
【０１９７】
一方、前述したように、ＳＤＣｍｄメタデータ生成部１０９は、感覚再生装置エンジン部１０９に含まれて構成されることができる。
【０１９８】
図５３は、本発明の一実施形態に係るＳＤＣｍｄメタデータ５２００の要素を説明するための図である。
【０１９９】
図５３に示すように、本発明に係るＳＤＣｍｄメタデータ５２００は、拡張可能な属性情報を記述するメタデータ（＃＃ｏｔｈｅｒ、５３００）、２つ以上の感覚効果再生装置制御命令情報に対するメタデータ（Ｇｒｏｕｐ  Ｏｆ  Ｃｏｍｍａｎｄｓ、５３０２）、１つの感覚効果再生装置制御命令情報に対するメタデータ（Ｄｅｖｉｃｅ  Ｃｏｍｍａｎｄ、５３０４）を備える。
【０２００】
このとき、Ｇｒｏｕｐ  Ｏｆ  Ｃｏｍｍａｎｄｓ５３０２とＤｅｖｉｃｅ  Ｃｏｍｍａｎｄメタデータ５３０４とは、２つのうち１つが選択的に少なくとも１回以上記述される必要がある。
【０２０１】
図５４は、本発明の一実施形態に係るＳＤＣｍｄメタデータ５２００のスキーマ形態を示した図であって、図５３において説明されたＳＤＣｍｄメタデータ及びＳＤＣｍｄメタデータの要素をスキーマ形態で示している。
【０２０２】
［表２５］は、ＳＤＣｍｄメタデータ５２００の記述構造を拡張性生成言語（ＸＭＬ：ｅＸｔｅｎｓｉｂｌｅ  Ｍａｒｋｕｐ  Ｌａｎｇｕａｇｅ）スキーマ（Ｓｃｈｅｍａ）形態で表したものである。
【表２５】
2012524452.tif 000029
【０２０３】
図５５は、本発明の一実施形態に係るＳＤＣｍｄメタデータ５２００のスキーマのデータタイプ（ｄａｔａ  ｔｙｐｅ）を説明するための図である。
【０２０４】
図５５に示すように、本発明に係るＳＤＣｍｄメタデータ５２００のスキーマタイプは、最上位基本タイプとして提供されるＳＤＣｍｄ  Ｂａｓｅ  Ｔｙｐｅ５５００である。ＳＤＣｍｄ  Ｂａｓｅ  Ｔｙｐｅメタデータ５５００は、識別可能な属性情報を含む識別子情報メタデータ（ｉｄ、５５０２）を備える。すなわち、ＳＤＣｍｄメタデータに含まれる情報は、識別子情報メタデータ（ｉｄ、５５０２）によって識別され得る。
【０２０５】
ＳＤＣｍｄ  Ｂａｓｅ  Ｔｙｐｅ５５００は、ＳＤＣｍｄメタデータに含まれた複数のメタデータに対する基本タイプになり、ＳＤＣｍｄメタデータに含まれた複数のメタデータは、ＳＤＣｍｄ  Ｂａｓｅ  Ｔｙｐｅ５５００から拡張されたデータタイプを使用することができる。すなわち、例えば、ＳＤＣｍｄ  Ｂａｓｅ  Ｔｙｐｅ５５００は、Ｄｅｖｉｃｅ  Ｃｏｍｍａｎｄメタデータ５３０４の基本タイプ（Ｄｅｖｉｃｅ  Ｃｏｍｍａｎｄ  Ｂａｓｅ  Ｔｙｐｅ）として使用されることができる。このとき、ＳＤＣｍｄ  Ｂａｓｅ  Ｔｙｐｅ５５００から拡張されたデータタイプは、ＳＤＣｍｄ  Ｂａｓｅ  Ｔｙｐｅ５５００の属性や情報を全て含む。
【０２０６】
図５６は、本発明の一実施形態に係るＳＤＣｍｄ  Ｂａｓｅ  Ｔｙｐｅメタデータ５５００のスキーマ形態を示した図であって、図５５において説明されたＳＤＣｍｄ  Ｂａｓｅ  Ｔｙｐｅメタデータ及びＳＤＣｍｄ  Ｂａｓｅ  Ｔｙｐｅメタデータの要素をスキーマ形態で示している。
【０２０７】
［表２６］は、ＳＤＣｍｄ  Ｂａｓｅ  Ｔｙｐｅメタデータ５５００の記述構造を拡張性生成言語ＸＭＬスキーマ形態で表したものである。
【表２６】
2012524452.tif 000030
【０２０８】
図５７は、本発明の一実施形態に係る感覚再生装置１１３の再生命令情報に対するメタデータ（Ｄｅｖｉｃｅ  Ｃｏｍｍａｎｄ、５３０４）の要素を説明するための図である。
【０２０９】
図５７に示すように、本発明に係るＤｅｖｉｃｅ  Ｃｏｍｍａｎｄ５３０４は、Ｄｅｖｉｃｅ  Ｃｏｍｍａｎｄ  Ｂａｓｅ  Ｔｙｐｅメタデータ５７００を利用し、ＳＤＣｍｄ  Ｂａｓｅ  Ｔｙｐｅメタデータ５５００から拡張されることができる。
【０２１０】
Ｄｅｖｉｃｅ  Ｃｏｍｍａｎｄ  Ｂａｓｅ  Ｔｙｐｅメタデータ５７００は、感覚再生装置命令情報記述に必要な属性を集めたグループ属性であるＳＤＣｍｄ  Ｂａｓｅ  Ａｔｔｒｉｂｕｔｅｓメタデータ５７０２及び拡張可能な属性情報を記述するメタデータ（＃＃ｏｔｈｅｒ、５７０４）を備える。
【０２１１】
ＳＤＣｍｄ  Ｂａｓｅ  Ａｔｔｒｉｂｕｔｅｓメタデータ５７０２は、感覚再生装置１１３の固有識別子（ｉｄ）参照を表す属性情報を記述するメタデータ（ｉｄｒｅｆ、５７０６）、感覚再生装置１１３の活性化情報を表す属性情報を記述するメタデータ（ａｃｔｉｖａｔｅ、５７０８）、及び感覚再生強度情報を表す属性情報を記述するメタデータ（ｉｎｔｅｎｓｉｔｙ、５７１０）を備える。
【０２１２】
図５８は、本発明の一実施形態に係るＤｅｖｉｃｅ  Ｃｏｍｍａｎｄ  Ｂａｓｅ  Ｔｙｐｅメタデータ５７００のスキーマ形態を示した図であって、Ｄｅｖｉｃｅ  Ｃｏｍｍａｎｄ  Ｂａｓｅ  Ｔｙｐｅメタデータ及びＤｅｖｉｃｅ  Ｃｏｍｍａｎｄ  Ｂａｓｅ  Ｔｙｐｅメタデータの要素をスキーマ形態で示している。
【０２１３】
［表２７］は、Ｄｅｖｉｃｅ  Ｃｏｍｍａｎｄ  Ｂａｓｅ  Ｔｙｐｅメタデータ５７００の記述構造を拡張性生成言語ＸＭＬスキーマ形態で表したものである。
【表２７】
2012524452.tif 000031
【０２１４】
図５９は、本発明の一実施形態に係るＧｒｏｕｐ  Ｏｆ  Ｃｏｍｍａｎｄｓメタデータ５３０２の要素を説明するための図である。
【０２１５】
図５９に示すように、Ｇｒｏｕｐ  Ｏｆ  Ｃｏｍｍａｎｄｓメタデータ５３０２は、Ｃｏｍｍａｎｄｓ  Ｔｙｐｅメタデータ５９００を利用し、ＳＤＣｍｄ  Ｂａｓｅ  Ｔｙｐｅ５５００から拡張されることができる。
【０２１６】
Ｇｒｏｕｐ  Ｏｆ  Ｃｏｍｍａｎｄｓメタデータ５３０２は、拡張可能な属性情報を記述するメタデータ（＃＃ｏｔｈｅｒ、５９０２）を備え、１つの感覚再生命令情報を記述するメタデータ（Ｄｅｖｉｃｅ  Ｃｏｍｍａｎｄ、５３０４）を少なくとも２つ以上備える。
【０２１７】
図６０は、本発明の一実施形態に係るＧｒｏｕｐ  Ｏｆ  Ｃｏｍｍａｎｄｓ  Ｔｙｐｅメタデータ５９００のスキーマ形態を示した図であって、図５９に示したＧｒｏｕｐ  Ｏｆ  Ｃｏｍｍａｎｄｓ  Ｔｙｐｅメタデータ及びＧｒｏｕｐ  Ｏｆ  Ｃｏｍｍａｎｄｓ  Ｔｙｐｅメタデータの要素をスキーマ形態で示している。
【０２１８】
［表２８］は、Ｇｒｏｕｐ  Ｏｆ  ｃｏｍｍａｎｄｓ  Ｔｙｐｅメタデータ５９００の記述構造を拡張性生成言語ＸＭＬスキーマ形態で表したものである。
【表２８】
2012524452.tif 000032
【０２１９】
図６１は、本発明の一実施形態に係るカラー補正効果に対する制御情報を表現するためのカラー補正装置命令メタデータ６１００の要素を説明するための図である。
【０２２０】
図６１に示すように、カラー補正装置命令メタデータ６１００は、Ｄｅｖｉｃｅ  Ｃｏｍｍａｎｄ  Ｂａｓｅ  Ｔｙｐｅメタデータ５７００から拡張されることができ、Ｄｅｖｉｃｅ  Ｃｏｍｍａｎｄメタデータ５３０４の１つのタイプ（ｔｙｐｅ）として使用される。
【０２２１】
カラー補正装置命令メタデータ６１００は、視空間位置記述子（Ｓｐａｔｉｏ  Ｔｅｍｐｏｒａｌ  Ｌｏｃａｔｏｒ、６１０２）及び視空間マスク記述子（Ｓｐａｔｉｏ  Ｔｅｍｐｏｒａｌ  Ｍａｓｋ、６１０４）のうち、１つ以上を含むことができる。すなわち、前述したカラー補正効果（Ｃｏｌｏｒ  Ｃｏｒｒｅｃｔｉｏｎ  Ｔｙｐｅ）メタデータ３０００には、Ｓｐａｔｉｏ  Ｔｅｍｐｏｒａｌ  Ｌｏｃａｔｏｒ３００２及びＳｐａｔｉｏ  Ｔｅｍｐｏｒａｌ  Ｍａｓｋ３００４が含まれ、ＳＥＭメタデータの解析結果によるカラー補正装置命令メタデータ６１００も視空間位置記述子（Ｓｐａｔｉｏ  Ｔｅｍｐｏｒａｌ  Ｌｏｃａｔｏｒ、６１０２）及び視空間マスク記述子（Ｓｐａｔｉｏ  Ｔｅｍｐｏｒａｌ  Ｍａｓｋ、６１０４）を含む。
【０２２２】
視空間位置記述子（Ｓｐａｔｉｏ  Ｔｅｍｐｏｒａｌ  Ｌｏｃａｔｏｒ、６１０２）及び視空間マスク記述子（Ｓｐａｔｉｏ  Ｔｅｍｐｏｒａｌ  Ｍａｓｋ、６１０４）は、全て部分的なカラー補正適用のために、カラー補正範囲及び位置変化によってカラー補正がなされる範囲（または事物）を追跡及び補間するために使用される要素であって、Ｓｐａｔｉｏ  Ｔｅｍｐｏｒａｌ  Ｌｏｃａｔｏｒ６１０２は、カラー補正オブジェクトの位置を座標を利用して表し、Ｓｐａｔｉｏ  Ｔｅｍｐｏｒａｌ  Ｍａｓｋ６１０４は、カラー補正オブジェクトの位置をマスクを利用して表す。Ｓｐａｔｉｏ  Ｔｅｍｐｏｒａｌ  Ｌｏｃａｔｏｒ３００２は、ＭＰＥＧ−７ＭＤＳのＳｐａｔｉｏ  Ｔｅｍｐｏｒａｌ  Ｌｏｃａｔｏｒ  Ｔｙｐｅが利用され得るし、Ｓｐａｔｉｏ  Ｔｅｍｐｏｒａｌ  Ｍａｓｋ３００４は、ＭＰＥＧ−７  ＭＤＳのＳｐａｔｉｏ  Ｔｅｍｐｏｒａｌ  Ｍａｓｋ  Ｔｙｐｅが利用され得る。
【０２２３】
感覚再生装置１１３は、カラー補正装置命令メタデータ６１００によってカラー補正効果を表現することができる。
【０２２４】
図６２は、本発明の一実施形態に係るカラー補正装置命令メタデータ６１００のスキーマ形態を示した図であって、カラー補正装置命令メタデータ及びカラー補正装置命令情報メタデータの要素をスキーマ形態で示している。
【０２２５】
［表２９］は、カラー補正装置命令メタデータ６１００の記述構造を拡張性生成言語ＸＭＬスキーマ形態で表したものである。
【表２９】
2012524452.tif 000033
【０２２６】
図６３は、本発明の一実施形態に係る感覚効果のためのメタデータ提供方法を説明するための図である。図６３では、ＳＥＭメタデータ生成部１０１のメタデータ提供方法が一実施形態として説明される。
【０２２７】
図６３に示すように、本発明に係るメタデータ提供方法は、ステップＳ６３０１から始まる。
【０２２８】
ステップＳ６３０１でＳＥＭメタデータ生成部１０１は、コンテンツに対する感覚効果情報を含むＳＥＭメタデータを生成する。
【０２２９】
ステップＳ６３０３でＳＥＭメタデータ生成部１０１は、感覚再生装置エンジン部１０９にＳＥＭメタデータを伝送する。感覚再生装置エンジン部１０９は、ＳＥＭメタデータを伝送されてＳＥＭメタデータを分析し、感覚再生装置１１３に対する制御情報を生成する。このとき、感覚効果情報は、コンテンツに対するカラー補正効果情報を含むことができる。
【０２３０】
具体的に、感覚効果情報は、図３０において説明されたように、カラー補正範囲に対する視空間位置記述子（Ｓｐａｔｉｏ  Ｔｅｍｐｏｒａｌ  Ｌｏｃａｔｏｒ）及び視空間マスク記述子（Ｓｐａｔｉｏ  Ｔｅｍｐｏｒａｌ  Ｍａｓｋ）のうち、少なくとも１つを含むことができる。そして、感覚効果情報は、カラー補正に参照されるカラー補正パラメータ情報をさらに含むことができる。
【０２３１】
カラー補正パラメータは、図２０において説明されたように、トーン再生カーブ情報（Ｔｏｎｅ  Ｒｅｐｒｏｄｕｃｔｉｏｎ  Ｃｕｒｖｅｓ、２００２）、変換情報（Ｃｏｎｖｅｒｓｉｏｎ  ＬＵＴ、２００４）、色温度情報（Ｃｏｌｏｒ  Ｔｅｍｐｅｒａｔｕｒｅ、２００６）、色域情報（Ｉｎｐｕｔ  Ｄｅｖｉｃｅ  Ｃｏｌｏｒ  Ｇａｍｕｔ、２００８）、及び照度情報（Ｉｌｌｕｍｉｎａｎｃｅ  Ｏｆ  Ｓｕｒｒｏｕｎｄ、２０１０）のうち、少なくとも１つを含む。
【０２３２】
ＳＥＭメタデータ生成部１０１によって生成されたＳＥＭメタデータは、感覚再生装置エンジン部１０９により分析され、感覚再生装置エンジン部１０９の分析結果は、感覚再生装置１１３のカラー補正効果表現に使用され得る。すなわち、感覚再生装置１１３は、ＳＥＭメタデータに含まれたカラー補正効果情報を利用してコンテンツ製作者の意図によるカラー補正効果を表現することができる。このとき、感覚再生装置１１３は、カラー補正パラメータを参照してカラー補正効果を表現することができる。また、感覚再生装置１１３は、カラー補正パラメータを参照してコンテンツに対する原本画像のカラーを表現することができる。
【０２３３】
図６４は、本発明の他の実施形態に係る感覚効果のためのメタデータ提供方法を説明するための図である。図６４では、ＵＳＰメタデータ生成部１０３のメタデータ提供方法が一実施形態として説明される。
【０２３４】
図６４に示すように、本発明に係るメタデータ提供方法は、ステップＳ６４０１から始まる。
【０２３５】
ステップＳ６４０１でＵＳＰメタデータ生成部１０３は、感覚効果に対する消費者の選好情報を含むＵＳＰメタデータを生成する。
【０２３６】
ステップＳ６４０３でＵＳＰメタデータ生成部１０３は、感覚再生装置エンジン部１０９にＳＥＭメタデータを伝送する。感覚再生装置エンジン部１０９は、ＳＥＭメタデータを伝送されてＳＥＭメタデータを分析し、感覚再生装置１１３に対する制御情報を生成する。
【０２３７】
このとき、感覚効果に対する消費者の選好情報は、図４１に示すように、感覚効果のうち、コンテンツのカラー補正効果に対する選好情報を含むことができる。カラー補正効果に対する選好情報は、感覚再生装置１１３のコンテンツの再生時に、カラー補正効果表現に対する消費者の選好可否を表す。
【０２３８】
図６５は、本発明のさらに他の実施形態に係る感覚効果のためのメタデータ提供方法を説明するための図である。図６５では、ＳＤｃａｐメタデータ生成部１０７のメタデータ提供方法が一実施形態として説明される。
【０２３９】
図６５に示すように、本発明に係るメタデータ提供方法は、ステップＳ６４０１から始まる。
【０２４０】
ステップＳ６５０１でＳＤｃａｐメタデータ生成部１０７は、感覚効果に対する感覚再生装置の再生能力情報を含むＳＤＣａｐメタデータを生成する。
【０２４１】
ステップＳ６５０３でＳＤｃａｐメタデータ生成部１０７は、感覚再生装置エンジン部１０９にＳＥＭメタデータを伝送する。感覚再生装置エンジン部１０９は、ＳＥＭメタデータを伝送されてＳＥＭメタデータを分析し、感覚再生装置１１３に対する制御情報を生成する。
【０２４２】
このとき、再生能力情報は、図５０に示すように、感覚効果のうち、コンテンツカラー補正効果に対する再生能力情報を含むことができる。コンテンツカラー補正効果に対する再生能力情報は、感覚再生装置１１３のカラー補正効果に対する再生能力、すなわち、表現能力を表す。
【０２４３】
図６６は、本発明のさらに他の実施形態に係る感覚効果のためのメタデータ提供方法を説明するための図である。図６６では、感覚再生装置エンジン部１０９のメタデータ提供方法が一実施形態として説明される。
【０２４４】
図６６に示すように、本発明に係るメタデータ提供方法は、ステップＳ６６０１から始まる。
【０２４５】
ステップＳ６６０１で感覚再生装置エンジン部１０９は、感覚効果情報を含むＳＥＭメタデータを受信する。感覚再生装置エンジン部１０９は、ＳＥＭメタデータ生成部１０１からＳＥＭメタデータを受信することができる。
【０２４６】
ステップＳ６６０３で感覚再生装置エンジン部１０９は、ＳＥＭメタデータを解析し、感覚再生装置１１３に対する感覚効果制御情報を含むＳＤＣｍｄメタデータを生成する。
【０２４７】
ステップＳ６６０５で感覚再生装置エンジン部１０９は、感覚再生装置１１３を制御する制御装置にＳＤＣｍｄメタデータを伝送する。感覚再生装置１１３を制御する制御装置は、感覚再生装置制御部１１１または感覚再生装置１１３に含まれた制御装置でありうる。
【０２４８】
一方、本発明に係るメタデータ提供方法は、カラー補正効果に対する消費者の選好情報を含むＵＳＰメタデータを受信するステップまたはカラー補正効果に対する感覚再生装置の再生能力情報を含むＳＤＣａｐメタデータを受信するステップをさらに含むことができる。感覚再生装置エンジン部１０９は、ＵＳＰメタデータまたはＳＤＣａｐメタデータをさらに解析し、ＳＤＣｍｄメタデータを生成し伝送できる。
【０２４９】
このとき、感覚効果は、コンテンツに対するカラー補正効果でありうる。したがって、ＳＥＭメタデータは、コンテンツに対するカラー補正効果情報を含み、ＵＳＰメタデータは、カラー補正効果に対する消費者の選好情報を含み、ＳＤＣａｐメタデータは、カラー補正効果に対する感覚再生装置の再生能力情報を含むことができる。
【０２５０】
感覚効果のうち、コンテンツに対するカラー補正効果に対するＳＤＣｍｄメタデータを受信した感覚再生装置１１３は、ＳＤＣｍｄメタデータによってカラー補正効果を表現することができる。すなわち、感覚再生装置エンジン部１０９は、カラー補正パラメータを含むカラー補正効果情報を解析し、感覚再生装置１１３がカラー補正パラメータによるカラー補正効果を表現できるようにＳＤＣｍｄメタデータを生成する。感覚再生装置１１３は、カラー補正パラメータによるカラー補正効果を表現するか、またはカラー補正範囲に対する視空間位置記述子（Ｓｐａｔｉｏ  Ｔｅｍｐｏｒａｌ  Ｌｏｃａｔｏｒ）及び視空間マスク記述子（Ｓｐａｔｉｏ  Ｔｅｍｐｏｒａｌ  Ｍａｓｋ）によるカラー補正効果を表現することができる。
【０２５１】
図６７は、本発明の一実施形態に係る感覚効果表現方法を説明するための図である。図６７では、感覚再生装置１１３の感覚効果表現方法が一実施形態として説明される。
【０２５２】
図６７に示すように、本発明に係る感覚効果表現方法は、ステップＳ６７０１から始まる。
【０２５３】
ステップ６７０１で感覚再生装置１１３は、感覚再生装置１１３に対する感覚効果制御情報を受信する。感覚効果制御情報は、ＳＤＣｍｄメタデータを受信した感覚再生装置制御部１１１から入力されるか、または感覚再生装置エンジン部１０９からＳＤＣｍｄメタデータ形態で入力され得る。
【０２５４】
ステップ６７０３で感覚再生装置１１３は、感覚効果制御情報に応じて感覚効果を表現する。このとき、感覚効果制御情報は、図６１に示すように、感覚効果のうち、コンテンツカラー補正効果に対する制御情報でありうる。
【０２５５】
一方、本発明によれば、前述したメタデータ記述構造によって多様な感覚効果に対するメタデータが生成され得るし、感覚再生装置で多様な感覚効果が表現され得る。例えば、感覚効果を表現する感覚再生装置は、基本装置命令タイプメタデータを有し、基本タイプメタデータは、各再生装置タイプに対するメタデータに拡張され得る。そして、このような拡張されたメタデータには、各再生装置タイプメタデータの各要素または感覚再生装置の感覚効果情報及び感覚効果と関連したパラメータ情報として、コンテンツの原本カラー復元設定情報、照明再生設定情報、振動設定情報、温度再生設定情報、各再生装置の再生強度設定情報などのような多様なメタデータが含まれ得る。
【０２５６】
図６８は、本発明の具体的な実施形態に係るマルチメディアシステムを説明するための図であって、図６８では、広告動画コンテンツ提供による感覚効果表現方法を説明している。
【０２５７】
図６８に示すように、広告動画コンテンツ６８００は、広告製作者が製作した広告コンテンツ及びＳＥＭメタデータを備える。完成した広告の効果を極大化するために、ＳＥＭメタデータには、原色表現（カラー補正）効果、メイン照明及び周辺照明（ＬＥＤ）効果、風効果及び温度効果に関する情報が含まれる。
【０２５８】
［表３０］ないし［表３４］は、広告製作者によるＳＥＭメタデータをＸＭＬインスタンス型式で表している。具体的に、［表３０］ないし［表３４］は、広告製作者が意図する原本カラー補正のためのパラメータ、カラー補正対象に対する補正情報（範囲と変化位置）、照明効果、温度効果、風効果などを記述しているＳＥＭメタデータを表している。［表３０］ないし［表３４］は、繋がったＸＭＬインスタンス形式で表す。
【表３０】
2012524452.tif 000034
【表３１】
2012524452.tif 000035
2012524452.tif 000036
【表３２】
2012524452.tif 000037
2012524452.tif 000038
【表３３】
2012524452.tif 000039
2012524452.tif 000040
2012524452.tif 000041
【表３４】
2012524452.tif 000042
2012524452.tif 000043
【０２５９】
広告コンテンツ及び広告コンテンツに対するＳＥＭメタデータを含む広告動画コンテンツ６３００は、例えば、ＭＡＦ（Ｍｕｌｔｉｍｅｄｉａ  Ａｐｐｌｉｃａｔｉｏｎ  Ｆｏｒｍａｔ）形態で生成され得る。生成されたＭＡＦ形態の広告動画コンテンツ６３００、すなわち、メディアは、感覚再生装置エンジン部１０９に伝達され、広告動画コンテンツ６３００の消費者は、広告コンテンツに対する感覚効果が存在することが分かる。
【０２６０】
これにより、広告消費者は、伝送された広告動画コンテンツ６３００に対する感覚効果を適用するか否かを選択する。すなわち、広告消費者は、感覚再生装置１１３のグラフィックユーザインターフェース（ＧＵＩ）を利用して、感覚効果に対する選好可否を選択することができる。これにより生成されるＵＳＰメタデータは、感覚再生装置エンジン部１０９に伝達される。
【０２６１】
［表３５］は、広告動画コンテンツ６３００に対する感覚効果の選好を表すＵＳＰメタデータをＸＭＬインスタンス型式で表現している。すなわち、［表３５］は、広告消費者の感覚効果選好情報を記述しているＵＳＰメタデータを表したものであって、原本画像カラー補正効果、メイン照明及び周辺照明（ＬＥＤ）効果、温度効果、風効果を全て使用し、照明と温度、風調節の再生効果程度を記述している。
【表３５】
2012524452.tif 000044
2012524452.tif 000045
【０２６２】
感覚再生装置エンジン部１０８は、広告動画コンテンツ６８００の感覚効果を再生するためのＳＥＭメタデータ２００、感覚再生装置制御部１１１に接続された周辺装置（メイン照明及び周辺照明（ＬＥＤ）、エアコン等）のＳＤＣａｐメタデータ４３００、ユーザの感覚効果再生選好情報であるＵＳＰメタデータ３４００を受信してＳＤＣｍｄメタデータ５２００を生成する。
【０２６３】
［表３６］は、感覚再生装置制御部１１１から生成されたＳＤＣａｐメタデータ４３００をＸＭＬインスタンス型式で表している。［表３６］は、メイン照明装置（ｄｉｍｍｅｒ）、周辺照明装置（ＬＥＤ）、温度、風調節装置（Ａｉｒ−ｃｏｎｄｉｔｉｏｎｅｒ）の再生能力範囲を記述している。
【表３６】
2012524452.tif 000046
2012524452.tif 000047
【０２６４】
広告コンテンツが再生される間、感覚再生装置エンジン部１０８は、ＳＥＭメタデータ２００、ＳＤＣａｐメタデータ４３００を解析し、コンテンツ製作者が表そうとする感覚効果のうち、現在使用可能な感覚再生装置を判断する。その後、感覚再生装置エンジン部１０８は、ユーザのＵＳＰメタデータ３４００に基づいてユーザの選好情報を最終的に解析し、生成されたＳＤＣｍｄメタデータ５２００を感覚再生装置制御部１１１に伝達する。
【０２６５】
［表３７］ないし［表３９］は、感覚再生装置エンジン部１０８から生成されたＳＤＣｍｄメタデータ５２００をＸＭＬインスタンス型式で表している。［表３７］ないし［表３９］は、消費者のＵＳＰメタデータ３４００によって調整された感覚効果制御情報を含むＳＤＣｍｄメタデータ５２００を表し、原本カラー補正効果、メイン照明、及び周辺照明（ＬＥＤ）効果、温度及び風調節効果に対する制御情報を記述している。［表３７］ないし［表３９］は、繋がったＸＭＬインスタンス形式で表す。
【表３７】
2012524452.tif 000048
2012524452.tif 000049
2012524452.tif 000050
【表３８】
2012524452.tif 000051
2012524452.tif 000052
2012524452.tif 000053
【表３９】
2012524452.tif 000054
2012524452.tif 000055
【０２６６】
感覚再生装置制御部１１１は、ＳＤＣｍｄメタデータ５２００に基づいて、接続されたそれぞれの感覚再生装置に制御信号を伝送する。制御信号を受信した感覚再生装置は、制御信号に応じて消費者に製作者が意図した感覚効果を再生（表現）する。
【０２６７】
例えば、広告コンテンツがビール広告であり、ビール広告画面で太陽光が強い涼しい海画面が再生中である場合、広告製作者が意図したとおり、特定範囲や物体（ビール、海）、または画像全体の原本色感がそのまま表示される。また、照明が強く照らされ、涼しい海背景に合わせて周辺のＬＥＤ（周辺照明）が青く光り、消費者の背後では、涼しいエアコン風が出ることができる。消費者は、このような広告メディアを視聴しつつ、広告商品を購買したいという衝動を感じることができる。
【０２６８】
もし、消費者が感覚効果を選好しない場合、コンテンツ製作者の意図されたカラー補正効果が反映されていない画像がディスプレイ装置に表示される。すなわち、消費者のディスプレイ装置のカラー特性による画像がディスプレイ装置に表示され、消費者に対する広告効果は半減される恐れがある。
【０２６９】
［表４０］は、消費者が感覚効果を選好しない場合のＵＳＰメタデータ３４００をＸＭＬインスタンス型式で表している。［表４０］は、原本カラー補正効果、メイン照明及び周辺照明（ＬＥＤ）効果、温度及び風調節効果を全て使用しないことを記述している。
【表４０】
2012524452.tif 000056
2012524452.tif 000057
【０２７０】
一方、前述したような本発明に係る感覚効果のためのメタデータ提供方法及び感覚効果再生方法は、コンピュータプログラムで作成可能である。そして、前記プログラムを構成するコード及びコードセグメントは、当該分野のコンピュータプログラマーによって容易に推論され得る。また、前記作成されたプログラムは、コンピュータ読み取り可能な記録媒体（情報格納媒体）に格納され、コンピュータによって読み取られ、実行されることにより、本発明の方法を実現する。そして、前記記録媒体は、コンピュータ読み取り可能な全ての形の記録媒体（ＣＤ、ＤＶＤのような有形的媒体だけでなく、搬送波のような無形的媒体）を含む。
【０２７１】
本発明の一実施形態に係るメタデータが記録されたコンピュータ読み取り可能な記録媒体は、コンテンツに対する感覚効果情報を含むＳＥメタデータを含み、前記感覚効果情報は、前記コンテンツに対するカラー補正効果情報を含む。
【０２７２】
また、本発明の一実施形態に係るメタデータが記録されたコンピュータ読み取り可能な記録媒体は、感覚効果に対する消費者の選好情報を含むＵＳＰメタデータを含み、前記選好情報は、前記感覚効果のうち、コンテンツカラー補正効果に対する選好情報を含む。
【０２７３】
また、本発明の一実施形態に係るメタデータが記録されたコンピュータ読み取り可能な記録媒体は、感覚効果に対する感覚効果再生装置の再生能力情報を含むＳＤＣａｐメタデータを含み、前記再生能力情報は、前記感覚効果のうち、コンテンツカラー補正効果に対する再生能力情報を含む。
【０２７４】
また、本発明の一実施形態に係るメタデータが記録されたコンピュータ読み取り可能な記録媒体は、感覚効果再生装置に対する感覚効果制御情報を含むＳＤＣｍｄメタデータを含み、前記感覚効果制御情報は、感覚効果のうち、コンテンツカラー補正効果に対する制御情報を含む。
【０２７５】
本発明は、例え、限定された実施形態と図面によって説明されたが、本発明はこれにより限定されず、本発明の属する技術分野における通常の知識を有した者によって本発明の技術思想と特許請求の範囲の均等範囲内で様々な修正及び変形が可能であることはもちろんである。
【図１】
2012524452.tif 000058
【図２】
2012524452.tif 000059
【図３】
2012524452.tif 000060
【図４】
2012524452.tif 000061
【図５】
2012524452.tif 000062
【図６】
2012524452.tif 000063
【図７】
2012524452.tif 000064
【図８】
2012524452.tif 000065
【図９】
2012524452.tif 000066
【図１０】
2012524452.tif 000067
【図１１】
2012524452.tif 000068
【図１２】
2012524452.tif 000069
【図１３】
2012524452.tif 000070
【図１４】
2012524452.tif 000071
【図１５】
2012524452.tif 000072
【図１６】
2012524452.tif 000073
【図１７】
2012524452.tif 000074
【図１８】
2012524452.tif 000075
【図１９】
2012524452.tif 000076
【図２０】
2012524452.tif 000077
【図２１】
2012524452.tif 000078
【図２２】
2012524452.tif 000079
【図２３】
2012524452.tif 000080
【図２４】
2012524452.tif 000081
【図２５】
2012524452.tif 000082
【図２６】
2012524452.tif 000083
【図２７】
2012524452.tif 000084
【図２８】
2012524452.tif 000085
【図２９】
2012524452.tif 000086
【図３０】
2012524452.tif 000087
【図３１】
2012524452.tif 000088
【図３２】
2012524452.tif 000089
【図３３】
2012524452.tif 000090
【図３４】
2012524452.tif 000091
【図３５】
2012524452.tif 000092
【図３６】
2012524452.tif 000093
【図３７】
2012524452.tif 000094
【図３８】
2012524452.tif 000095
【図３９】
2012524452.tif 000096
【図４０】
2012524452.tif 000097
【図４１】
2012524452.tif 000098
【図４２】
2012524452.tif 000099
【図４３】
2012524452.tif 000100
【図４４】
2012524452.tif 000101
【図４５】
2012524452.tif 000102
【図４６】
2012524452.tif 000103
【図４７】
2012524452.tif 000104
【図４８】
2012524452.tif 000105
【図４９】
2012524452.tif 000106
【図５０】
2012524452.tif 000107
【図５１】
2012524452.tif 000108
【図５２】
2012524452.tif 000109
【図５３】
2012524452.tif 000110
【図５４】
2012524452.tif 000111
【図５５】
2012524452.tif 000112
【図５６】
2012524452.tif 000113
【図５７】
2012524452.tif 000114
【図５８】
2012524452.tif 000115
【図５９】
2012524452.tif 000116
【図６０】
2012524452.tif 000117
【図６１】
2012524452.tif 000118
【図６２】
2012524452.tif 000119
【図６３】
2012524452.tif 000120
【図６４】
2012524452.tif 000121
【図６５】
2012524452.tif 000122
【図６６】
2012524452.tif 000123
【図６７】
2012524452.tif 000124
【図６８】
2012524452.tif 000125
【国際調査報告】
2012524452.tif 000126
2012524452.tif 000127
2012524452.tif 000128
2012524452.tif 000129